(57)【要約】  無線通信分野に関するシステムメッセージの伝送方法及び装置であって、予め設定されたリソース位置にてシステムメッセージを伝送することと、システムの周波数領域位置情報、システムメッセージを載せる物理共有チャネルの構成情報、端末アクセスの構成情報、前記物理下りチャネルの利用可能なリソース情報、無線フレーム情報のうちの少なくともいずれかを含む前記システムメッセージに基づいて、物理下りチャネルを伝送することと、を含むシステムメッセージの伝送方法。予め定義された伝送とシグナリングによる指示をこのように結合すると、異なるシステムスペクトルが共有される場合の信号間の相互干渉を低減し、異なるシステムが同じリソースで異なる信号伝送を同時に行うことを減少することができ、システムと端末の理解が一致することを確保し、データ伝送性能を向上させる。
2018527834.tif 000002
【特許請求の範囲】
【請求項１】
予め設定されたリソース位置にてシステムメッセージを伝送することと、
システムの周波数領域位置情報、システムメッセージを載せる物理共有チャネルの構成情報、端末アクセスの構成情報、前記物理下りチャネルの利用可能なリソース情報、無線フレーム情報のうちの少なくともいずれかを含む前記システムメッセージに基づいて、物理下りチャネルを伝送することと、
を含むシステムメッセージの伝送方法。
【請求項２】
前記物理下りチャネルの利用可能なリソース情報は、前記物理下りチャネルの、１つのサブフレームにおける最初の直交周波数分割多重ＯＦＤＭシンボル情報、及び／又は、前記物理下りチャネルの、１つのサブフレームにおける使用されないリソースユニット情報、及び／又は、前記物理下りチャネルの使用可能なサブフレーム情報を含む、
請求項１に記載の方法。
【請求項３】
セル固有参照信号ＣＲＳポート位置及び／又はチャネル状態情報参照信号ＣＳＩ−ＲＳポート位置によって前記リソースユニット情報を指示し、前記セル固有参照信号ポート位置及び／又はチャネル状態情報参照信号ポート位置による指示は、ポート数及び／又は仮想セル識別子によって決められること、をさらに含む、
請求項２に記載の方法。
【請求項４】
予め設定されたリソース位置にてシステムメッセージを伝送することは、
予め設定されたリソース位置にて前記システムメッセージを物理ブロードキャストチャネルによって伝送すること、を含む、
請求項１に記載の方法。
【請求項５】
前記予め設定されたリソース位置は、前記物理ブロードキャストチャネルが、サブフレームの１番目のスロットの最後のＹ個の直交周波数分割多重ＯＦＤＭシンボル及び２番目のスロットの前のＸ個のＯＦＤＭシンボルに位置すること、或いは、前記物理ブロードキャストチャネルが、サブフレームにおける第１の予め定義されたＯＦＤＭシンボルの任意のＲ（Ｒは４，５，６，８を含む）個のＯＦＤＭシンボルに位置することを含み、
前記予め定義されたＯＦＤＭシンボルは、各スロットの２番目のＯＦＤＭシンボル、各スロットの３番目のＯＦＤＭシンボル、各スロットの後ろから４番目のＯＦＤＭシンボル、各スロットの最後の２つのＯＦＤＭシンボルを含む、
請求項４に記載の方法。
【請求項６】
前記Ｘは４，５，６，７を含み、前記Ｙは０，１，２，３，４，５を含む、
請求項５に記載の方法。
【請求項７】
第１の予め定義されたＯＦＤＭシンボルは、
Ｒが４である場合、前記第１の予め定義されたＯＦＤＭシンボルは、各スロットの最後の２つのＯＦＤＭシンボルを含むことと、
Ｒが５である場合、前記第１の予め定義されたＯＦＤＭシンボルは、各スロットの最後の２つのＯＦＤＭシンボル及び２番目のスロットの後ろから４番目のＯＦＤＭシンボルを含み、或いは、前記第１の予め定義されたＯＦＤＭシンボルは、各スロットの最後の２つのＯＦＤＭシンボル及び２番目のスロットの３番目のＯＦＤＭシンボルを含むことと、
Ｒが６である場合、前記第１の予め定義されたＯＦＤＭシンボルは、各スロットの最後の２つのＯＦＤＭシンボル及び２番目のスロットの後ろから４番目のＯＦＤＭシンボル、２番目のスロットの２番目のＯＦＤＭシンボルを含み、或いは、前記第１の予め定義されたＯＦＤＭシンボルは、各スロットの最後の２つのＯＦＤＭシンボル及び各スロットの後ろから４番目のＯＦＤＭシンボルを含み、或いは、前記第１の予め定義されたＯＦＤＭシンボルは、各スロットの最後の２つのＯＦＤＭシンボル及び２番目のスロットの２番目のＯＦＤＭシンボル、２番目のスロットの３番目のＯＦＤＭシンボルを含むことと、
Ｒが８である場合、前記第１の予め定義されたＯＦＤＭシンボルは、各スロットの２番目及び３番目のＯＦＤＭシンボル、並びに最後の２つのＯＦＤＭシンボルを含むことと、のうちのいずれかを含む、
請求項５に記載の方法。
【請求項８】
前記物理ブロードキャストチャネル及び同期チャネルは、隣り合うサブフレームに位置する、
請求項４に記載の方法。
【請求項９】
前記物理ブロードキャストチャネル及び同期チャネルが、隣り合うサブフレームに位置することは、
同期チャネルがサブフレーム＃９に位置し、前記物理ブロードキャストチャネルがサブフレーム＃０に位置することと、
同期チャネルがサブフレーム＃０に位置し、前記物理ブロードキャストチャネルがサブフレーム＃９に位置することと、
同期チャネルがサブフレーム＃８に位置し、前記物理ブロードキャストチャネルがサブフレーム＃９に位置することと、
同期チャネルがサブフレーム＃６に位置し、前記物理ブロードキャストチャネルがサブフレーム＃５に位置することと、
同期チャネルがサブフレーム＃４に位置し、前記物理ブロードキャストチャネルがサブフレーム＃５に位置することと、
同期チャネルがサブフレーム＃５に位置し、前記物理ブロードキャストチャネルがサブフレーム＃４に位置することと、
同期チャネルがサブフレーム＃３に位置し、前記物理ブロードキャストチャネルがサブフレーム＃４に位置することと、
同期チャネルがサブフレーム＃１に位置し、前記物理ブロードキャストチャネルがサブフレーム＃０に位置することと、のうちのいずれかを含む、
請求項８に記載の方法。
【請求項１０】
前記予め設定されたリソース位置は、前記物理ブロードキャストチャネルが、Ｔ（Ｔは３，６，９，１８，３６を含む）個の無線フレームにマッピングされ、且つ各無線フレームにおける同じサブフレームに位置することを含む、
請求項４に記載の方法。
【請求項１１】
前記サブフレームは、
無線フレームのサブフレーム＃０、無線フレームのサブフレーム＃４、無線フレームのサブフレーム＃５又は無線フレームのサブフレーム＃９のうちの１つ又は複数を含む、
請求項１０に記載の方法。
【請求項１２】
前記物理ブロードキャストチャネルは、Ｚ１個の無線フレームで１回伝送され、Ｚ１＊Ｚ２個の無線フレーム毎にＺ２回繰り返して伝送される、
請求項４に記載の方法。
【請求項１３】
前記Ｚ１は４，６，８，１２，２４を含み、Ｚ２は４，６，８，１２，１６を含む、
請求項１２に記載の方法。
【請求項１４】
前記物理ブロードキャストチャネルは狭帯域参照信号を用いて復調され、前記狭帯域参照信号は前記物理ブロードキャストチャネルを伝送するサブフレームで伝送され、狭帯域参照信号は、第２の予め定義された直交周波数分割多重ＯＦＤＭシンボルで伝送され、前記第２の予め定義されたＯＦＤＭシンボルは、サブフレームにおける各スロットの最後の２つのＯＦＤＭシンボル、又は、物理ブロードキャストチャネルを伝送する各ＯＦＤＭシンボルを含む、
請求項４，８，９，１０，１１又は１２に記載の方法。
【請求項１５】
予め設定されたリソース位置にてシステムメッセージを伝送することは、
予め設定されたリソース位置にて前記システムメッセージを物理共有チャネルによって伝送するか、予め設定されたリソース位置にて前記システムメッセージを物理共有チャネル及び物理ブロードキャストチャネルによって伝送ことを含む、
請求項１に記載の方法。
【請求項１６】
予め設定されたリソース位置にて前記システムメッセージを物理共有チャネルによって伝送することは、
前記システムメッセージを載せる物理共有チャネルの、サブフレームにおける最初の直交周波数分割多重ＯＦＤＭシンボルは固定値であり、対応する利用可能なリソース単位は、固定した仮想セル固有参照信号ポートを除外した後の残存リソースであることを含む、
請求項１５に記載の方法。
【請求項１７】
前記システムメッセージを載せる物理共有チャネル、同期チャネル及び物理ブロードキャストチャネルは、異なるサブフレームに位置する、
請求項１５に記載の方法。
【請求項１８】
前記システムメッセージを載せる物理共有チャネルサブフレームは、サブフレーム＃０、サブフレーム＃４、サブフレーム＃５、サブフレーム＃９のうちの１つ又は複数のサブフレームを含む、
請求項１７に記載の方法。
【請求項１９】
システムメッセージを載せる物理共有チャネル構成情報は、
前記物理共有チャネルに載せられるシステム情報のビット数、
前記物理共有チャネルが占有するサブフレーム数、
前記物理共有チャネルが占有する無線フレーム情報、のうちの少なくともいずれかを含み、
端末アクセスの構成情報は、
端末のアクセスを許可するか否か、及び／又は、システム状態情報、及び／又は、端末上りアクセスリソース構成情報を含み、前記システム状態情報は、端末が、システムへのアクセスを行うか否か、及び／又は、如何にしてシステムにアクセスするかを判定することに用いられる、
請求項１に記載の方法。
【請求項２０】
予め設定されたリソース位置にてシステムメッセージを伝送するシステムモジュールと、
システムの周波数領域位置情報、システムメッセージを載せる物理共有チャネルの構成情報、端末アクセスの構成情報、前記物理下りチャネルの利用可能なリソース情報、無線フレーム情報のうちの少なくともいずれかを含む前記システムメッセージに基づいて、物理下りチャネルを伝送するチャネルモジュールと、
を備えるシステムメッセージの伝送装置。
【請求項２１】
前記物理下りチャネルの利用可能なリソース情報は、前記物理下りチャネルの、１つのサブフレームにおける最初の直交周波数分割多重ＯＦＤＭシンボル情報、及び／又は、前記物理下りチャネルの、１つのサブフレームにおける使用されないリソースユニット情報、及び／又は、前記物理下りチャネルの使用可能なサブフレーム情報を含み、
前記装置は、
セル固有参照信号ＣＲＳポート位置及び／又はチャネル状態情報参照信号ＣＳＩ−ＲＳポート位置によって前記リソースユニット情報を指示し、前記セル固有参照信号ポート位置及び／又はチャネル状態情報参照信号ポート位置による指示は、ポート数、及び／又は、仮想セル識別子によって決められる指示モジュール、をさらに備える、
請求項２０に記載の装置。
【請求項２２】
前記システムモジュールは、予め設定されたリソース位置にてシステムメッセージを伝送することを、
予め設定されたリソース位置にて前記システムメッセージを物理ブロードキャストチャネルによって伝送することにより実現する、
請求項２０に記載の装置。
【請求項２３】
前記予め設定されたリソース位置は、前記物理ブロードキャストチャネルが、サブフレームの１番目のスロットの最後のＹ個の直交周波数分割多重ＯＦＤＭシンボル及び２番目のスロットの前のＸ個のＯＦＤＭシンボルに位置すること、或いは、前記物理ブロードキャストチャネルが、サブフレームにおける第１の予め定義されたＯＦＤＭシンボルの任意のＲ（Ｒは４，５，６，８を含む）個のＯＦＤＭシンボルに位置することを含み、
前記予め定義されたＯＦＤＭシンボルは、各スロットの２番目のＯＦＤＭシンボル、各スロットの後ろから４番目のＯＦＤＭシンボル、各スロットの最後の２つのＯＦＤＭシンボル、各スロットの３番目のＯＦＤＭシンボルを含む、
請求項２２に記載の装置。
【請求項２４】
前記Ｘは４，５，６，７を含み、前記Ｙは０，１，２，３，４，５を含む、
請求項２３に記載の装置。
【請求項２５】
第１の予め定義されたＯＦＤＭシンボルは、
Ｒが４である場合、前記第１の予め定義されたＯＦＤＭシンボルは、各スロットの最後の２つのＯＦＤＭシンボルを含むことと、
Ｒが５である場合、前記第１の予め定義されたＯＦＤＭシンボルは、各スロットの最後の２つのＯＦＤＭシンボル及び２番目のスロットの後ろから４番目のＯＦＤＭシンボルを含み、或いは、前記第１の予め定義されたＯＦＤＭシンボルは、各スロットの最後の２つのＯＦＤＭシンボル及び２番目のスロットの３番目のＯＦＤＭシンボルを含むことと、
Ｒが６である場合、前記第１の予め定義されたＯＦＤＭシンボルは、各スロットの最後の２つのＯＦＤＭシンボル及び２番目のスロットの後ろから４番目のＯＦＤＭシンボル、２番目のスロットの２番目のＯＦＤＭシンボルを含み、或いは、前記第１の予め定義されたＯＦＤＭシンボルは、各スロットの最後の２つのＯＦＤＭシンボル及び各スロットの後ろから４番目のＯＦＤＭシンボルを含み、或いは、前記第１の予め定義されたＯＦＤＭシンボルは、各スロットの最後の２つのＯＦＤＭシンボル及び２番目のスロットの２番目のＯＦＤＭシンボル、２番目のスロットの３番目のＯＦＤＭシンボルを含むことと、
Ｒが８である場合、前記第１の予め定義されたＯＦＤＭシンボルは、各スロットの２番目及び３番目のＯＦＤＭシンボル、並びに最後の２つのＯＦＤＭシンボルを含むことと、のうちのいずれかを含む、
請求項２３に記載の装置。
【請求項２６】
前記物理ブロードキャストチャネル及び同期チャネルは、隣り合うサブフレームに位置する、
請求項２２に記載の装置。
【請求項２７】
前記物理ブロードキャストチャネル及び同期チャネルが、隣り合うサブフレームに位置することは、
同期チャネルがサブフレーム＃９に位置し、前記物理ブロードキャストチャネルがサブフレーム＃０に位置することと、
同期チャネルがサブフレーム＃０に位置し、前記物理ブロードキャストチャネルがサブフレーム＃９に位置することと、
同期チャネルがサブフレーム＃８に位置し、前記物理ブロードキャストチャネルがサブフレーム＃９に位置することと、
同期チャネルがサブフレーム＃６に位置し、前記物理ブロードキャストチャネルがサブフレーム＃５に位置することと、
同期チャネルがサブフレーム＃４に位置し、前記物理ブロードキャストチャネルがサブフレーム＃５に位置することと、
同期チャネルがサブフレーム＃５に位置し、前記物理ブロードキャストチャネルがサブフレーム＃４に位置することと、
同期チャネルがサブフレーム＃３に位置し、前記物理ブロードキャストチャネルがサブフレーム＃４に位置することと、
同期チャネルがサブフレーム＃１に位置し、前記物理ブロードキャストチャネルがサブフレーム＃０に位置することと、のうちのいずれかを含む、
請求項２６に記載の装置。
【請求項２８】
前記予め設定されたリソース位置は、前記物理ブロードキャストチャネルが、Ｔ（Ｔは３，６，９，１８，３６を含む）個の無線フレームにマッピングされ、且つ各無線フレームにおける同じサブフレームに位置することを含む、
請求項２２に記載の装置。
【請求項２９】
前記サブフレームは、無線フレームのサブフレーム＃０、無線フレームのサブフレーム＃４、無線フレームのサブフレーム＃５又は無線フレームのサブフレーム＃９のうちの１つ又は複数を含む、
請求項２８に記載の装置。
【請求項３０】
前記システムモジュールの前記物理ブロードキャストチャネルは、Ｚ１個の無線フレームで１回伝送され、Ｚ１＊Ｚ２個の無線フレーム毎にＺ２回繰り返して伝送される、
請求項２２に記載の装置。
【請求項３１】
前記Ｚ１は４，６，８，１２，２４を含み、Ｚ２は４，６，８，１２，１６を含む、
請求項３０に記載の装置。
【請求項３２】
前記物理ブロードキャストチャネルは、狭帯域参照信号を用いて復調され、前記狭帯域参照信号は、前記物理ブロードキャストチャネルを伝送するサブフレームで伝送され、狭帯域参照信号は、第２の予め定義された直交周波数分割多重ＯＦＤＭシンボルで伝送され、前記第２の予め定義されたＯＦＤＭシンボルは、サブフレームにおける各スロットの最後の２つのＯＦＤＭシンボル、又は、物理ブロードキャストチャネルを伝送する各ＯＦＤＭシンボルを含む、
請求項２２，２６，２７，２８，２９又は３０に記載の装置。
【請求項３３】
前記システムモジュールは、予め設定されたリソース位置にてシステムメッセージを伝送することを、
予め設定されたリソース位置にて前記システムメッセージを物理共有チャネルによって伝送するか、予め設定されたリソース位置にて前記システムメッセージを物理共有チャネル及び物理ブロードキャストチャネルによって伝送することにより実現する、
請求項２０に記載の装置。
【請求項３４】
前記システムモジュールは、予め設定されたリソース位置にて前記システムメッセージを物理共有チャネルによって伝送することを、
前記システムメッセージを載せる物理共有チャネルの、サブフレームにおける最初の直交周波数分割多重ＯＦＤＭシンボルは固定値であり、対応する利用可能なリソース単位は、固定した仮想セル固有参照信号ポートを除外した後の残存リソースであることにより実現する、
請求項３３に記載の装置。
【請求項３５】
前記システムメッセージを載せる物理共有チャネル、同期チャネル及び物理ブロードキャストチャネルは、異なるサブフレームに位置する、
請求項３３に記載の装置。
【請求項３６】
前記システムメッセージを載せる物理共有チャネルサブフレームは、サブフレーム＃０、サブフレーム＃４、サブフレーム＃５、サブフレーム＃９のうちの１つ又は複数のサブフレームを含む、
請求項３５に記載の装置。
【請求項３７】
システムメッセージを載せる物理共有チャネル構成情報は、
前記物理共有チャネルに載せられるシステム情報のビット数、
前記物理共有チャネルが占有するサブフレーム数、
前記物理共有チャネルが占有する無線フレーム情報、のうちの少なくともいずれかを含み、
端末アクセスの構成情報は、
端末のアクセスを許可するか否か、及び／又は、システム状態情報、及び／又は、端末上りアクセスリソース構成情報を含み、前記システム状態情報は、端末が、システムへのアクセスを行うか否か、及び／又は、如何にしてシステムにアクセスするかを判定することに用いられる、
請求項２０に記載の装置。
【発明の詳細な説明】
【技術分野】
【０００１】
本文は、無線通信分野に関するが、これには限定されず、具体的には、システムメッセージの伝送方法及び装置に関するものである。
【背景技術】
【０００２】
マシンツーマシン（Machine to Machine、単にＭ２Ｍという）ユーザ通信デバイスとも呼ばれるマシンタイプ通信（Machine Type Communication、単にＭＴＣという）ユーザ端末(User Equipment、単にユーザデバイス又は端末という)は、現在のモノのインターネットの主な応用形式である。３ＧＰＰ（3rd Generation Partnership Project、第３世代パートナーシッププロジェクト）技術仕様書ＴＲ４５．８２０Ｖ２００において、セルラーモノのインターネット（Ｃ−ＩＯＴ、Internet Of Things)に適用される技術がいくつか公開され、ＮＢ−ＬＴＥ(Narrowband Long Term Evolution、狭帯域長期進化)技術は一番注目を集めたものである。該システムのシステム帯域幅は２００ｋＨｚであり、ＧＳＭ（Global System for Mobile Communication、グローバル移動通信システム）（登録商標）のチャネル帯域幅と同じであり、これは、ＮＢ−ＬＴＥシステムにＧＳＭスペクトルを再利用し、隣接チャネルとＧＳＭチャネルとの相互干渉を低減することに非常に役立つ。また、ＮＢ−ＬＴＥの発射帯域幅及び下りリンクサブキャリア間隔はそれぞれ１８０ｋＨｚ及び１５ｋＨｚであり、それぞれがＬＴＥシステムの１つのＰＲＢ（Physical Resource Block、物理リソースブロック）の帯域幅及びサブキャリア間隔と同じであり、これは、ＮＢ−ＬＴＥシステムにおいて関連するＬＴＥシステムの相関設計を再利用することに寄与する一方、ＮＢ−ＬＴＥシステム再利用されるＧＳＭスペクトルとＬＴＥシステムのスペクトルとが隣り合う場合、２つのシステムの相互干渉を低減することにも寄与する。
【０００３】
一方、関連するＬＴＥシステムのサブキャリア間隔は１５ｋＨｚであり、１．４ＭＨｚ、３ＭＨｚ、５ＭＨｚ、１０ＭＨｚ、１５ＭＨｚ及び２０ＭＨｚという６つのシステム帯域幅をサポートし、この６つの帯域幅には、それぞれ７２、１５０、３００、６００、９００、１２００個の利用可能なサブキャリアがある。ＮＢ−ＬＴＥの発射帯域幅及び下りリンクサブキャリア間隔がそれぞれＬＴＥシステムの１つのＰＲＢの帯域幅及びサブキャリア間隔と同じであることを考慮すると、ＮＢ−ＬＴＥは、ＬＴＥシステムとともに同一セグメントのスペクトルに存在する可能性もあり、例えば、システム帯域幅が２０ＭＨｚであるＬＴＥシステムにおいて、ＮＢ−ＬＴＥシステム信号の送信のために１つの１８０ｋＨｚの帯域幅が割り当てられるが、しかし、ＬＴＥシステムの一部のリソースは予め占用されているため、ＮＢ−ＬＴＥシステムとＬＴＥシステムの信号が同じリソースで伝送されないよう確保し、２つのシステムの相互干渉を低減するには、未だに有効な対応策が提示されていない。
【発明の概要】
【発明が解決しようとする課題】
【０００４】
以下、本文に詳しく説明される内容をまとめる。このまとめは、請求項の保護範囲を制限するものではない。
【０００５】
本発明の実施例は、異なるシステムスペクトルが共有される場合の信号間の相互干渉を低減し、異なるシステムが同じリソースで異なる信号伝送を同時に行うことを減少することができるシステムメッセージの伝送方法及び装置を提供する。
【課題を解決するための手段】
【０００６】
本発明の実施例は、以下の構成となる。
【０００７】
システムメッセージの伝送方法であって、
予め設定されたリソース位置にてシステムメッセージを伝送することと、
システムの周波数領域位置情報、システムメッセージを載せる物理共有チャネルの構成情報、端末アクセスの構成情報、前記物理下りチャネルの利用可能なリソース情報、無線フレーム情報のうちの少なくともいずれかを含む前記システムメッセージに基づいて、物理下りチャネルを伝送することと、を含む。
【０００８】
オプションとして、前記物理下りチャネルの利用可能なリソース情報は、前記物理下りチャネルの、１つのサブフレームにおける最初の直交周波数分割多重ＯＦＤＭシンボル情報、及び／又は、前記物理下りチャネルの、１つのサブフレームにおける使用されないリソースユニット情報、及び／又は、前記物理下りチャネルの使用可能なサブフレーム情報を含んでもよい。
【０００９】
オプションとして、前記方法は、セル固有参照信号ＣＲＳポート位置及び／又はチャネル状態情報参照信号ＣＳＩ−ＲＳポート位置によって前記リソースユニット情報を指示し、前記セル固有参照信号ポート位置及び／又はチャネル状態情報参照信号ポート位置による指示は、ポート数及び／又は仮想セル識別子によって決められること、をさらに含んでもよい。
【００１０】
オプションとして、予め設定されたリソース位置にてシステムメッセージを伝送することは、
予め設定されたリソース位置にて前記システムメッセージを物理ブロードキャストチャネルによって伝送すること、を含んでもよい。
【００１１】
オプションとして、前記予め設定されたリソース位置は、前記物理ブロードキャストチャネルが、サブフレームの１番目のスロットの最後のＹ個の直交周波数分割多重ＯＦＤＭシンボル及び２番目のスロットの前のＸ個のＯＦＤＭシンボルに位置すること、或いは、前記物理ブロードキャストチャネルが、サブフレームにおける第１の予め定義されたＯＦＤＭシンボルの任意のＲ（Ｒは４，５，６，８を含む）個のＯＦＤＭシンボルに位置することを含み、前記予め定義されたＯＦＤＭシンボルは、各スロットの２番目のＯＦＤＭシンボル、各スロットの３番目のＯＦＤＭシンボル、各スロットの後ろから４番目のＯＦＤＭシンボル、各スロットの最後の２つのＯＦＤＭシンボルを含んでもよい。
【００１２】
オプションとして、前記Ｘは４，５，６，７を含み、前記Ｙは０，１，２，３，４，５を含んでもよい。
【００１３】
オプションとして、第１の予め定義されたＯＦＤＭシンボルは、
Ｒが４である場合、前記第１の予め定義されたＯＦＤＭシンボルは、各スロットの最後の２つのＯＦＤＭシンボルを含むことと、
Ｒが５である場合、前記第１の予め定義されたＯＦＤＭシンボルは、各スロットの最後の２つのＯＦＤＭシンボル及び２番目のスロットの後ろから４番目のＯＦＤＭシンボルを含み、或いは、前記第１の予め定義されたＯＦＤＭシンボルは、各スロットの最後の２つのＯＦＤＭシンボル及び２番目のスロットの３番目のＯＦＤＭシンボルを含むことと、
Ｒが６である場合、前記第１の予め定義されたＯＦＤＭシンボルは、各スロットの最後の２つのＯＦＤＭシンボル及び２番目のスロットの後ろから４番目のＯＦＤＭシンボル、２番目のスロットの２番目のＯＦＤＭシンボルを含み、或いは、前記第１の予め定義されたＯＦＤＭシンボルは、各スロットの最後の２つのＯＦＤＭシンボル及び各スロットの後ろから４番目のＯＦＤＭシンボルを含み、或いは、前記第１の予め定義されたＯＦＤＭシンボルは、各スロットの最後の２つのＯＦＤＭシンボル及び２番目のスロットの２番目のＯＦＤＭシンボル、２番目のスロットの３番目のＯＦＤＭシンボルを含むことと、
Ｒが８である場合、前記第１の予め定義されたＯＦＤＭシンボルは、各スロットの２番目及び３番目のＯＦＤＭシンボル、並びに最後の２つのＯＦＤＭシンボルを含むことと、のうちのいずれかを含んでもよい。
【００１４】
オプションとして、前記物理ブロードキャストチャネル及び同期チャネルは、隣り合うサブフレームに位置してもよい。
【００１５】
オプションとして、前記物理ブロードキャストチャネル及び同期チャネルが、隣り合うサブフレームに位置することは、
同期チャネルがサブフレーム＃９に位置し、前記物理ブロードキャストチャネルがサブフレーム＃０に位置することと、
同期チャネルがサブフレーム＃０に位置し、前記物理ブロードキャストチャネルがサブフレーム＃９に位置することと、
同期チャネルがサブフレーム＃８に位置し、前記物理ブロードキャストチャネルがサブフレーム＃９に位置することと、
同期チャネルがサブフレーム＃６に位置し、前記物理ブロードキャストチャネルがサブフレーム＃５に位置することと、
同期チャネルがサブフレーム＃４に位置し、前記物理ブロードキャストチャネルがサブフレーム＃５に位置することと、
同期チャネルがサブフレーム＃５に位置し、前記物理ブロードキャストチャネルがサブフレーム＃４に位置することと、
同期チャネルがサブフレーム＃３に位置し、前記物理ブロードキャストチャネルがサブフレーム＃４に位置することと、
同期チャネルがサブフレーム＃１に位置し、前記物理ブロードキャストチャネルがサブフレーム＃０に位置することと、のうちのいずれかを含んでもよい。
【００１６】
オプションとして、前記予め設定されたリソース位置は、前記物理ブロードキャストチャネルが、Ｔ（Ｔは３，６，９，１８，３６を含む）個の無線フレームにマッピングされ、且つ各無線フレームにおける同じサブフレームに位置することを含んでもよい。
【００１７】
オプションとして、前記サブフレームは、無線フレームのサブフレーム＃０、無線フレームのサブフレーム＃４、無線フレームのサブフレーム＃５又は無線フレームのサブフレーム＃９のうちの１つ又は複数を含んでもよい。
【００１８】
オプションとして、前記物理ブロードキャストチャネルは、Ｚ１個の無線フレームで１回伝送され、Ｚ１＊Ｚ２個の無線フレーム毎にＺ２回繰り返して伝送されてもよい。
【００１９】
オプションとして、前記Ｚ１は４，６，８，１２，２４を含み、Ｚ２は４，６，８，１２，１６を含んでもよい。
【００２０】
オプションとして、前記物理ブロードキャストチャネルは狭帯域参照信号を用いて復調され、前記狭帯域参照信号は前記物理ブロードキャストチャネルを伝送するサブフレームで伝送され、狭帯域参照信号は、第２の予め定義された直交周波数分割多重ＯＦＤＭシンボルで伝送され、前記第２の予め定義されたＯＦＤＭシンボルは、サブフレームにおける各スロットの最後の２つのＯＦＤＭシンボル、又は、物理ブロードキャストチャネルを伝送する各ＯＦＤＭシンボルを含んでもよい。
【００２１】
オプションとして、予め設定されたリソース位置にてシステムメッセージを伝送することは、
予め設定されたリソース位置にて前記システムメッセージを物理共有チャネルによって伝送するか、予め設定されたリソース位置にて前記システムメッセージを物理共有チャネル及び物理ブロードキャストチャネルによって伝送ことを含んでもよい。
【００２２】
オプションとして、予め設定されたリソース位置にて前記システムメッセージを物理共有チャネルによって伝送することは、
前記システムメッセージを載せる物理共有チャネルの、サブフレームにおける最初の直交周波数分割多重ＯＦＤＭシンボルは固定値であり、対応する利用可能なリソース単位は、固定した仮想セル固有参照信号ポートを除外した後の残存リソースであることを含んでもよい。
【００２３】
オプションとして、前記システムメッセージを載せる物理共有チャネル、同期チャネル及び物理ブロードキャストチャネルは、異なるサブフレームに位置してもよい。
【００２４】
オプションとして、前記システムメッセージを載せる物理共有チャネルサブフレームは、サブフレーム＃０、サブフレーム＃４、サブフレーム＃５、サブフレーム＃９のうちの１つ又は複数のサブフレームを含んでもよい。
【００２５】
オプションとして、システムメッセージを載せる物理共有チャネル構成情報は、
前記物理共有チャネルに載せられるシステム情報のビット数、
前記物理共有チャネルが占有するサブフレーム数、
前記物理共有チャネルが占有する無線フレーム情報、のうちの少なくともいずれかを含み、
端末アクセスの構成情報は、
端末のアクセスを許可するか否か、及び／又は、システム状態情報、及び／又は、端末上りアクセスリソース構成情報を含み、前記システム状態情報は、端末が、システムへのアクセスを行うか否か、及び／又は、如何にしてシステムにアクセスするかを判定することに用いられてもよい。
【００２６】
本発明の実施例において、
予め設定されたリソース位置にてシステムメッセージを伝送するシステムモジュールと、
システムの周波数領域位置情報、システムメッセージを載せる物理共有チャネルの構成情報、端末アクセスの構成情報、前記物理下りチャネルの利用可能なリソース情報、無線フレーム情報のうちの少なくともいずれかを含む前記システムメッセージに基づいて、物理下りチャネルを伝送するチャネルモジュールと、
を備えるシステムメッセージの伝送装置がさらに提供される。
【００２７】
オプションとして、前記物理下りチャネルの利用可能なリソース情報は、前記物理下りチャネルの、１つのサブフレームにおける最初の直交周波数分割多重ＯＦＤＭシンボル情報、及び／又は、前記物理下りチャネルの、１つのサブフレームにおける使用されないリソースユニット情報、及び／又は、前記物理下りチャネルの使用可能なサブフレーム情報を含み、
前記装置は、セル固有参照信号ＣＲＳポート位置及び／又はチャネル状態情報参照信号ＣＳＩ−ＲＳポート位置によって前記リソースユニット情報を指示し、前記セル固有参照信号ポート位置及び／又はチャネル状態情報参照信号ポート位置による指示は、ポート数、及び／又は、仮想セル識別子によって決められる指示モジュール、をさらに備えてもよい。
【００２８】
オプションとして、前記システムモジュールは、予め設定されたリソース位置にてシステムメッセージを伝送することを、
予め設定されたリソース位置にて前記システムメッセージを物理ブロードキャストチャネルによって伝送することにより実現してもよい。
【００２９】
オプションとして、前記予め設定されたリソース位置は、前記物理ブロードキャストチャネルが、サブフレームの１番目のスロットの最後のＹ個の直交周波数分割多重ＯＦＤＭシンボル及び２番目のスロットの前のＸ個のＯＦＤＭシンボルに位置すること、或いは、前記物理ブロードキャストチャネルが、サブフレームにおける第１の予め定義されたＯＦＤＭシンボルの任意のＲ（Ｒは４，５，６，８を含む）個のＯＦＤＭシンボルに位置することを含み、前記予め定義されたＯＦＤＭシンボルは、各スロットの２番目のＯＦＤＭシンボル、各スロットの後ろから４番目のＯＦＤＭシンボル、各スロットの最後の２つのＯＦＤＭシンボル、各スロットの３番目のＯＦＤＭシンボルを含んでもよい。
【００３０】
オプションとして、前記Ｘは４，５，６，７を含み、前記Ｙは０，１，２，３，４，５を含んでもよい。
【００３１】
オプションとして、第１の予め定義されたＯＦＤＭシンボルは、
Ｒが４である場合、前記第１の予め定義されたＯＦＤＭシンボルは、各スロットの最後の２つのＯＦＤＭシンボルを含むことと、
Ｒが５である場合、前記第１の予め定義されたＯＦＤＭシンボルは、各スロットの最後の２つのＯＦＤＭシンボル及び２番目のスロットの後ろから４番目のＯＦＤＭシンボルを含み、或いは、前記第１の予め定義されたＯＦＤＭシンボルは、各スロットの最後の２つのＯＦＤＭシンボル及び２番目のスロットの３番目のＯＦＤＭシンボルを含むことと、
Ｒが６である場合、前記第１の予め定義されたＯＦＤＭシンボルは、各スロットの最後の２つのＯＦＤＭシンボル及び２番目のスロットの後ろから４番目のＯＦＤＭシンボル、２番目のスロットの２番目のＯＦＤＭシンボルを含み、或いは、前記第１の予め定義されたＯＦＤＭシンボルは、各スロットの最後の２つのＯＦＤＭシンボル及び各スロットの後ろから４番目のＯＦＤＭシンボルを含み、或いは、前記第１の予め定義されたＯＦＤＭシンボルは、各スロットの最後の２つのＯＦＤＭシンボル及び２番目のスロットの２番目のＯＦＤＭシンボル、２番目のスロットの３番目のＯＦＤＭシンボルを含むことと、
Ｒが８である場合、前記第１の予め定義されたＯＦＤＭシンボルは、各スロットの２番目及び３番目のＯＦＤＭシンボル、並びに最後の２つのＯＦＤＭシンボルを含むことと、のうちのいずれかを含んでもよい。
【００３２】
オプションとして、前記物理ブロードキャストチャネル及び同期チャネルは、隣り合うサブフレームに位置してもよい。
【００３３】
オプションとして、前記物理ブロードキャストチャネル及び同期チャネルが、隣り合うサブフレームに位置することは、
同期チャネルがサブフレーム＃９に位置し、前記物理ブロードキャストチャネルがサブフレーム＃０に位置することと、
同期チャネルがサブフレーム＃０に位置し、前記物理ブロードキャストチャネルがサブフレーム＃９に位置することと、
同期チャネルがサブフレーム＃８に位置し、前記物理ブロードキャストチャネルがサブフレーム＃９に位置することと、
同期チャネルがサブフレーム＃６に位置し、前記物理ブロードキャストチャネルがサブフレーム＃５に位置することと、
同期チャネルがサブフレーム＃４に位置し、前記物理ブロードキャストチャネルがサブフレーム＃５に位置することと、
同期チャネルがサブフレーム＃５に位置し、前記物理ブロードキャストチャネルがサブフレーム＃４に位置することと、
同期チャネルがサブフレーム＃３に位置し、前記物理ブロードキャストチャネルがサブフレーム＃４に位置することと、
同期チャネルがサブフレーム＃１に位置し、前記物理ブロードキャストチャネルがサブフレーム＃０に位置することと、のうちのいずれかを含んでもよい。
【００３４】
オプションとして、前記予め設定されたリソース位置は、前記物理ブロードキャストチャネルが、Ｔ（Ｔは３，６，９，１８，３６を含む）個の無線フレームにマッピングされ、且つ各無線フレームにおける同じサブフレームに位置することを含んでもよい。
【００３５】
オプションとして、前記サブフレームは、無線フレームのサブフレーム＃０、無線フレームのサブフレーム＃４、無線フレームのサブフレーム＃５又は無線フレームのサブフレーム＃９のうちの１つ又は複数を含んでもよい。
【００３６】
オプションとして、前記システムモジュールの前記物理ブロードキャストチャネルは、Ｚ１個の無線フレームで１回伝送され、Ｚ１＊Ｚ２個の無線フレーム毎にＺ２回繰り返して伝送されてもよい。
【００３７】
オプションとして、前記Ｚ１は４，６，８，１２，２４を含み、Ｚ２は４，６，８，１２，１６を含んでもよい。
【００３８】
オプションとして、前記物理ブロードキャストチャネルは狭帯域参照信号を用いて復調され、前記狭帯域参照信号は前記物理ブロードキャストチャネルを伝送するサブフレームで伝送され、狭帯域参照信号は、第２の予め定義された直交周波数分割多重ＯＦＤＭシンボルで伝送され、前記第２の予め定義されたＯＦＤＭシンボルは、サブフレームにおける各スロットの最後の２つのＯＦＤＭシンボル、又は、物理ブロードキャストチャネルを伝送する各ＯＦＤＭシンボルを含んでもよい。
【００３９】
オプションとして、前記システムモジュールは、予め設定されたリソース位置にてシステムメッセージを伝送することを、
予め設定されたリソース位置にて前記システムメッセージを物理共有チャネルによって伝送するか、予め設定されたリソース位置にて前記システムメッセージを物理共有チャネル及び物理ブロードキャストチャネルによって伝送することにより実現してもよい。
【００４０】
オプションとして、前記システムモジュールは、予め設定されたリソース位置にて前記システムメッセージを物理共有チャネルによって伝送することを、
前記システムメッセージを載せる物理共有チャネルの、サブフレームにおける最初の直交周波数分割多重ＯＦＤＭシンボルは固定値であり、対応する利用可能なリソース単位は、固定した仮想セル固有参照信号ポートを除外した後の残存リソースであることにより実現してもよい。
【００４１】
オプションとして、前記システムメッセージを載せる物理共有チャネル、同期チャネル及び物理ブロードキャストチャネルは、異なるサブフレームに位置してもよい。
【００４２】
オプションとして、前記システムメッセージを載せる物理共有チャネルサブフレームは、サブフレーム＃０、サブフレーム＃４、サブフレーム＃５、サブフレーム＃９のうちの１つ又は複数のサブフレームを含んでもよい。
【００４３】
オプションとして、システムメッセージを載せる物理共有チャネル構成情報は、
前記物理共有チャネルに載せられるシステム情報のビット数、
前記物理共有チャネルが占有するサブフレーム数、
前記物理共有チャネルが占有する無線フレーム情報、のうちの少なくともいずれかを含み、
端末アクセスの構成情報は、
端末のアクセスを許可するか否か、及び／又は、システム状態情報、及び／又は、端末上りアクセスリソース構成情報を含み、前記システム状態情報は、端末が、システムへのアクセスを行うか否か、及び／又は、如何にしてシステムにアクセスするかを判定することに用いられてもよい。
【発明の効果】
【００４４】
本発明の実施例は、関連技術に比べ、以下の有益な効果を有する。
【００４５】
本発明の実施例に提供されるシステムメッセージの伝送方法及び装置によれば、予め設定されたリソース位置にてシステムメッセージを伝送し、そして前記システムメッセージに基づいて物理下りチャネルを伝送し、予め定義された伝送とシグナリングによる指示をこのように結合すると、異なるシステムスペクトルが共有される場合の信号間の相互干渉を低減し、異なるシステムが同じリソースで異なる信号伝送を同時に行うことを減少することができ、システムと端末の理解が一致することを確保し、データ伝送性能を向上させる。
【００４６】
図面及び詳細な説明を読んで理解した後、他の態様も明らかとなる。
【図面の簡単な説明】
【００４７】
【図１】関連技術におけるＬＴＥシステムフレームの構造を示す図である。
【図２】本発明の実施例に係わるシステムメッセージの伝送方法のフローチャートである。
【図３】本発明の実施例に係わるシステムメッセージの伝送装置の構造を示す図である。
【図４】本発明の実施例に係わる狭帯域参照信号位置の構造を示す図である。
【図５】本発明の実施例に係わる狭帯域参照信号位置の構造を示す図である。
【図６】本発明の実施例に係わる狭帯域参照信号位置の構造を示す図である。
【図７】本発明の実施例に係わる狭帯域参照信号位置の構造を示す図である。
【発明を実施するための形態】
【００４８】
以下、図面を結合して本発明の実施例を説明する。なお、衝突しない限り、本願の実施例及び実施例中の構成要件を任意に組み合わせることができる。
【００４９】
長期進化型（ＬＴＥ、Long Term Evolution）システムにおける無線フレーム（radio frame）は、周波数分割複信（ＦＤＤ、Frequency Division Duplex）モードと時分割複信（ＴＤＤ、Time Division Duplex）モードのフレーム構造を含む。ＦＤＤモードのフレーム構造では、図１に示すように、１つの１０ミリ秒（ｍｓ）の無線フレームは、２０個の長さが０．５ｍｓで、番号が０〜１９であるスロット（slot）からなり、スロット２ｉ及び２ｉ＋１から長さが１ｍｓのサブフレーム（subframe）ｉが構成される。通常巡回プレフィックス（Ｎｏｒｍａｌ  ＣＰ、Normal Cyclic Prefix）の場合、１つのスロットは７つの長さが６６．７マイクロ秒（ｕｓ）であるシンボルを含み、１番目のシンボルのＣＰ長さが５．２１ｕｓであり、残りの６つのシンボルの長さが４．６９ｕｓである。拡張巡回プレフィックス（Ｅｘｔｅｎｄｅｄ  ＣＰ、Extended Cyclic Prefix）の場合、１つのスロットは６つのシンボルを含み、すべてのシンボルのＣＰ長さはそれぞれ１６．６７ｕｓである。
【００５０】
ＬＴＥシステムにおいて、セル固有参照信号ポート数は１，２，４であり、チャネル状態情報参照信号ポート数は１，２，４，８であり、異なるポート数は、異なる数のリソースユニット及び位置に対応する。
【００５１】
ＬＴＥシステムにおいて、下り制御チャネルは、サブフレームの前のｎ個のＯＦＤＭシンボルに位置し、ｎは１，２，３，４である。
【００５２】
ＮＢ−ＬＴＥシステムは、シングルポートによる伝送を行い、ＮＢ−ＬＴＥシステムの帯域幅は２００ｋしかないため、ＮＢ−ＬＴＥのＰＢＣＨ（Physical broadcast channel、物理ブロードキャストチャネル)及び同期信号が占有する時間領域リソースはＬＴＥシステムに対して増加し、このため、ＬＴＥシステムのＰＢＣＨ及び同期信号のマッピング方法はＮＢ−ＬＴＥシステムに適用されなくなり、改めて考慮する必要がある。そして、ＮＢ−ＬＴＥシステムとＬＴＥシステムとはスペクトル共有である場合、ＮＢ−ＬＴＥシステムは、ＬＴＥシステムの下り制御チャネル及び下り参照信号が使用するリソースを使用したまま、スペクトル共有なしでリソースを個別に使用する場面に従って動作すれば、異なるシステム信号間の相互干渉を招き、異なるシステムが同じリソースにて異なる信号伝送を同時に行い、ＵＥデータ受信を妨害する。よって、ＮＢ−ＬＴＥシステムが、スペクトル共有であるか否かによってデータ伝送をそれぞれ行うように、ＮＢ−ＬＴＥシステムは、システムメッセージをＮＢ−ＬＴＥ  ＵＥに送信してその利用可能なリソースを知らせる必要があり、これによりＮＢ−ＬＴＥシステムとＮＢ−ＬＴＥ  ＵＥの理解が一致することも確保される。
【００５３】
図２に示すように、本発明の実施例にはシステムメッセージの伝送方法が提供され、以下のステップを含む。
【００５４】
予め設定されたリソース位置にてシステムメッセージを伝送する。
【００５５】
前記システムメッセージに基づいて物理下りチャネルを伝送する。前記システムメッセージは、システムの周波数領域位置情報、システムメッセージを載せる物理共有チャネルの構成情報、端末アクセスの構成情報、前記物理下りチャネルの利用可能なリソース情報、無線フレーム情報のうちの少なくともいずれかを含む。
【００５６】
前記物理下りチャネルは、物理下り共有チャネル及び／又は物理下り制御チャネルを含む。
【００５７】
本発明の実施例に係わる方法は、ＮＢ−ＬＴＥ、又は、他のＯＦＤＭシステム、又は、他の狭帯域システムといったシステムに応用されることができる。前記伝送は、送信及び／又は受信を含む。
【００５８】
前記物理下りチャネルの利用可能なリソース情報は、前記物理下りチャネルの、１つのサブフレームにおける最初の直交周波数分割多重ＯＦＤＭシンボル情報、及び／又は、前記物理下りチャネルの、１つのサブフレームにおける使用されないリソースユニット情報、及び／又は、前記物理下りチャネルの使用可能なサブフレーム情報を含む。
【００５９】
前記物理下りチャネルの使用可能なサブフレーム情報による指示は、ビットマップ（bitmap）によって利用可能なサブフレームを周期的に指示するか、ビットマップ（bitmap）によって利用不可能なサブフレームを周期的に指示することを含む。例えば、Ｊ個のビットによって、Ｊ個のサブフレームを周期としてそれぞれのサブフレームが使用可能であるか否かを指示し、それぞれのビットが、Ｊ個のサブフレームを周期とする場合の１つのサブフレームの使用状況に対応し、１が「使用可能」を示し、０が「使用不可能」を示し、或いは、０が「使用可能」を示し、１が「使用不可能」を示し、Ｊは４０，８０，１２０，１６０，２４０であることができる。
【００６０】
前記方法は、セル固有参照信号ＣＲＳポート位置及び／又はチャネル状態情報参照信号ＣＳＩ−ＲＳ（Channel State Information Reference Signal）ポート位置によって前記リソースユニット情報を指示し、前記セル固有参照信号ポート位置及び／又はチャネル状態情報参照信号ポート位置による指示は、ポート数及び／又は仮想セル識別子によって決められることをさらに含む。
【００６１】
予め設定されたリソース位置にてシステムメッセージを伝送することは、
予め設定されたリソース位置にて前記システムメッセージを物理ブロードキャストチャネルによって伝送すること、を含む。
【００６２】
前記物理ブロードキャストチャネルは、サブフレームの１番目のスロットの最後のＹ個のＯＦＤＭシンボル及び２番目のスロットの前のＸ個のＯＦＤＭシンボルに位置する。
【００６３】
前記Ｘは４，５，６，７を含み、前記Ｙは０，１，２，３，４，５を含む。
【００６４】
或いは、
前記物理ブロードキャストチャネルは、サブフレームにおける第１の予め定義されたＯＦＤＭシンボルの任意のＲ個のＯＦＤＭシンボルに位置し、Ｒは４，５，６，８を含むことができ、前記予め定義されたＯＦＤＭシンボルは、各スロットの２番目のＯＦＤＭシンボル、各スロットの３番目のＯＦＤＭシンボル、各スロットの後ろから４番目のＯＦＤＭシンボル、各スロットの最後の２つのＯＦＤＭシンボルを含む。
【００６５】
代替的に、Ｒが４である場合、前記第１の予め定義されたＯＦＤＭシンボルは、各スロットの最後の２つのＯＦＤＭシンボルを含む。
【００６６】
代替的に、Ｒが５である場合、前記第１の予め定義されたＯＦＤＭシンボルは、各スロットの最後の２つのＯＦＤＭシンボル及び２番目のスロットの後ろから４番目のＯＦＤＭシンボルを含み、或いは、前記第１の予め定義されたＯＦＤＭシンボルは、各スロットの最後の２つのＯＦＤＭシンボル及び２番目のスロットの３番目のＯＦＤＭシンボルを含む。
【００６７】
代替的に、Ｒが６である場合、前記第１の予め定義されたＯＦＤＭシンボルは、各スロットの最後の２つのＯＦＤＭシンボル及び２番目のスロットの後ろから４番目のＯＦＤＭシンボル、２番目のスロットの２番目のＯＦＤＭシンボルを含み、或いは、前記第１の予め定義されたＯＦＤＭシンボルは、各スロットの最後の２つのＯＦＤＭシンボル及び各スロットの後ろから４番目のＯＦＤＭシンボルを含み、或いは、前記第１の予め定義されたＯＦＤＭシンボルは、各スロットの最後の２つのＯＦＤＭシンボル及び２番目のスロットの２番目のＯＦＤＭシンボル、２番目のスロットの３番目のＯＦＤＭシンボルを含む。
【００６８】
代替的に、Ｒが８である場合、前記第１の予め定義されたＯＦＤＭシンボルは、各スロットの２番目及び３番目のＯＦＤＭシンボル、並びに最後の２つのＯＦＤＭシンボルを含む。
【００６９】
狭帯域参照信号は、第２の予め定義されたＯＦＤＭシンボルで伝送され、前記第２の予め定義されたＯＦＤＭシンボルは、サブフレームにおける各スロットの最後の２つのＯＦＤＭシンボル、又は、物理ブロードキャストチャネルを伝送する各ＯＦＤＭシンボルを含む。
【００７０】
前記狭帯域参照信号は、物理ブロードキャストチャネルの復調に用いられる。前記狭帯域参照信号は、前記物理ブロードキャストチャネルを伝送するサブフレームで伝送される。
【００７１】
前記狭帯域参照信号のアンテナポート数は１又は２であり、同一のポートの参照信号の周波数領域間隔は６個のサブキャリアであり、隣り合うＯＦＤＭシンボルにおける同一のポートの参照信号の周波数領域位置は３つだけオフセットされている。
【００７２】
前記狭帯域参照信号のアンテナポートの初期位置は、セル識別子によって決められる。
【００７３】
巡回プレフィックスが通常巡回プレフィックスである場合、図４及び図６に示すように、同図におけるｌはＯＦＤＭシンボルインデックスである。
【００７４】
巡回プレフィックスが拡張巡回プレフィックスである場合、図５及び図７に示すように、同図におけるｌはＯＦＤＭシンボルインデックスである。
【００７５】
ただし、Ｒ０は第１のポートであり、Ｒ１は第２のポートである。
【００７６】
代替的に、前記第１の予め定義されたシンボルは、ＬＴＥシステムの送信されるべきセル固有参照信号がないＯＦＤＭシンボルであり、物理ブロードキャストチャネルを前記第１の予め定義されたシンボルで伝送することで、セル固有参照信号の前記物理ブロードキャストチャネルに対する影響、特に、新規システム(狭帯域システム)とＬＴＥシステムとが同じスペクトルにあり、両者の対応するセル識別子が異なる場合の相互影響を軽減することができる。
【００７７】
また、上述した代替的な第１の予め定義されたシンボルは、主として、前記狭帯域参照信号に対応する復調性能の影響を考慮し、前記物理ブロードキャストチャネルを載せるＯＦＤＭシンボルが前記狭帯域参照信号のＯＦＤＭシンボルに位置することをできるだけ確保し、第１の予め定義されたシンボルの次善選択は、前記狭帯域参照信号のＯＦＤＭシンボルにおける中間領域であり、これにより、優れた伝送性能を獲得する。
【００７８】
前記物理ブロードキャストチャネル及び同期チャネルは、隣り合うサブフレームに位置する。このことは、
同期チャネルがサブフレーム＃９に位置し、前記物理ブロードキャストチャネルがサブフレーム＃０に位置することと、
同期チャネルがサブフレーム＃０に位置し、前記物理ブロードキャストチャネルがサブフレーム＃９に位置することと、
同期チャネルがサブフレーム＃８に位置し、前記物理ブロードキャストチャネルがサブフレーム＃９に位置することと、
同期チャネルがサブフレーム＃６に位置し、前記物理ブロードキャストチャネルがサブフレーム＃５に位置することと、
同期チャネルがサブフレーム＃４に位置し、前記物理ブロードキャストチャネルがサブフレーム＃５に位置することと、
同期チャネルがサブフレーム＃５に位置し、前記物理ブロードキャストチャネルがサブフレーム＃４に位置することと、
同期チャネルがサブフレーム＃３に位置し、前記物理ブロードキャストチャネルがサブフレーム＃４に位置することと、
同期チャネルがサブフレーム＃１に位置し、前記物理ブロードキャストチャネルがサブフレーム＃０に位置することと、のうちのいずれかを含む。
【００７９】
前記物理ブロードキャストチャネルはＴ個の無線フレームにマッピングされ、且つ各無線フレームにおける同じサブフレームに位置する。Ｔは３，６，９，１８，３６であることができる。このマッピングとは、物理ブロードキャストチャネルを１回伝送することであり、物理ブロードキャストチャネルの繰り返し伝送場面でのリソース定義には関わっていない。
【００８０】
前記サブフレームは、無線フレームのサブフレーム＃０、無線フレームのサブフレーム＃４、無線フレームのサブフレーム＃５又は無線フレームのサブフレーム＃９のうちの１つ又は複数を含む。
【００８１】
前記物理ブロードキャストチャネルは、Ｚ１個の無線フレームで１回伝送され、Ｚ１＊Ｚ２個の無線フレーム毎にＺ２回繰り返して伝送される。ただし、前記Ｚ１は４，６，８，１２，２４を含み、Ｚ２は４，６，８，１２，１６を含む。
【００８２】
予め設定されたリソース位置にてシステムメッセージを伝送することは、
予め設定されたリソース位置にて前記システムメッセージを物理共有チャネルによって伝送するか、予め設定されたリソース位置にて前記システムメッセージを物理共有チャネル及び物理ブロードキャストチャネルによって伝送することを含む。前記システムメッセージを載せる物理共有チャネルの、サブフレームにおける最初のＯＦＤＭシンボルは固定値であり、対応する利用可能なリソース単位は、固定した仮想セル固有参照信号ポートを除外した後の残存リソースである。
【００８３】
前記仮想セル固有参照信号ポートの位置と関連するＬＴＥシステムにおけるＣＲＳポート(シングルポート、２ポート、４ポート)の対応するリソースの位置とが同じである。前記固定した仮想セル固有参照信号ポートの対応するリソースユニットは、関連するＬＴＥシステムにおける４ポートＣＲＳの対応するリソースユニットであることができる。
【００８４】
前記システムメッセージを載せる物理共有チャネル、同期チャネル及び物理ブロードキャストチャネルは、異なるサブフレームに位置する。前記システムメッセージを載せる物理共有チャネルのサブフレームは、サブフレーム＃０、サブフレーム＃４、サブフレーム＃５、サブフレーム＃９のうちの１つ又は複数のサブフレームを含む。
【００８５】
例：同期チャネル及び物理ブロードキャストチャネルは、それぞれ無線フレームのサブフレーム＃４及びサブフレーム＃５（両者は互いに交換されることができる）に位置し、前記システムメッセージを載せる物理共有チャネルは、サブフレーム＃９及び／又はサブフレーム＃０に位置し、或いは、同期チャネル及び物理ブロードキャストチャネルは、それぞれ無線フレームのサブフレーム＃９及びサブフレーム＃０(両者は互いに交換されることができる)に位置し、前記システムメッセージを載せる物理共有チャネルはサブフレーム＃４及び／又はサブフレーム＃５に位置する。
【００８６】
前記システムメッセージを乗せる物理共有チャネルは、Ｗ個の連続する無線フレームに位置し、Ｗは３，６，９，１２であることができる。
【００８７】
図３に示すように、システムメッセージの伝送装置は、
予め設定されたリソース位置にてシステムメッセージを伝送するシステムモジュールと、
システムの周波数領域位置情報、システムメッセージを載せる物理共有チャネルの構成情報、端末アクセスの構成情報、前記物理下りチャネルの利用可能なリソース情報、無線フレーム情報のうちの少なくともいずれかを含む前記システムメッセージに基づいて、物理下りチャネルを伝送するチャネルモジュールと、を備える。
【００８８】
前記物理下りチャネルの利用可能なリソース情報は、前記物理下りチャネルの、１つのサブフレームにおける最初の直交周波数分割多重ＯＦＤＭシンボル情報、及び／又は、前記物理下りチャネルの、１つのサブフレームにおける使用されないリソースユニット情報、及び／又は、前記物理下りチャネルの使用可能なサブフレーム情報を含む。
【００８９】
前記装置は、
セル固有参照信号ＣＲＳポート位置及び／又はチャネル状態情報参照信号ＣＳＩ−ＲＳポート位置によって前記リソースユニット情報を指示する指示モジュール、をさらに備える。
【００９０】
オプションとして、前記セル固有参照信号ポート位置及び／又はチャネル状態情報参照信号ポート位置による指示は、ポート数、及び／又は、仮想セル識別子によって決められてもよい。
【００９１】
前記仮想セル識別子は、主として、前記参照信号位置を判定するように、新規システム(狭帯域システム)とＬＴＥシステムがともに存在する場合のＬＴＥシステムのセル識別子を指示することに用いられる。
【００９２】
仮想セル識別子は、ＬＴＥセル識別子又は予め定義されたオフセット値を含み、前記予め定義されたオフセット値は０，１，２，３，４，５を含む。
【００９３】
前記物理下りチャネルの使用可能なサブフレーム情報による指示は、ビットマップ（bitmap）によって利用可能なサブフレームを周期的に指示するか、ビットマップ（bitmap）によって利用不可能なサブフレームを周期的に指示することを含む。例えば、Ｊ個のビットによって、Ｊ個のサブフレームを周期としてそれぞれのサブフレームが使用可能であるか否かを指示し、それぞれのビットが、Ｊ個のサブフレームを周期とする場合の１つのサブフレームの使用状況に対応し、１が「使用可能」を示し、０が「使用不可能」を示し、或いは、０が「使用可能」を示し、１が「使用不可能」を示し、Ｊは４０，８０，１２０，１６０，２４０であることができる。
【００９４】
前記システムモジュールは、予め設定されたリソース位置にてシステムメッセージを伝送することを以下のようにして行う。
【００９５】
予め設定されたリソース位置にて前記システムメッセージを物理ブロードキャストチャネルによって伝送する。
【００９６】
前記予め設定されたリソース位置は、前記物理ブロードキャストチャネルが、サブフレームにおける１番目のスロットの最後のＹ個のＯＦＤＭシンボル及び２番目のスロットの前のＸ個のＯＦＤＭシンボルに位置することを含む。
【００９７】
前記Ｘは４，５，６，７を含み、前記Ｙは０，１，２，３，４，５を含む。
【００９８】
或いは、
前記物理ブロードキャストチャネルは、サブフレームにおける第１の予め定義されたＯＦＤＭシンボルの任意のＲ個のＯＦＤＭシンボルに位置し、Ｒは４，５，６，８を含むことができ、前記予め定義されたＯＦＤＭシンボルは、各スロットの２番目のＯＦＤＭシンボル、各スロットの後ろから４番目のＯＦＤＭシンボル、各スロットの最後の２つのＯＦＤＭシンボル、各スロットの３番目のＯＦＤＭシンボルを含む。
【００９９】
代替的に、Ｒが４である場合、前記第１の予め定義されたＯＦＤＭシンボルは、各スロットの最後の２つのＯＦＤＭシンボルを含む。
【０１００】
代替的に、Ｒが５である場合、前記第１の予め定義されたＯＦＤＭシンボルは、各スロットの最後の２つのＯＦＤＭシンボル及び２番目のスロットの後ろから４番目のＯＦＤＭシンボルを含み、或いは、前記第１の予め定義されたＯＦＤＭシンボルは、各スロットの最後の２つのＯＦＤＭシンボル及び２番目のスロットの３番目のＯＦＤＭシンボルを含む。
【０１０１】
代替的に、Ｒが６である場合、前記第１の予め定義されたＯＦＤＭシンボルは、各スロットの最後の２つのＯＦＤＭシンボル及び２番目のスロットの後ろから４番目のＯＦＤＭシンボル、２番目のスロットの２番目のＯＦＤＭシンボルを含み、或いは、前記第１の予め定義されたＯＦＤＭシンボルは、各スロットの最後の２つのＯＦＤＭシンボル及び各スロットの後ろから４番目のＯＦＤＭシンボルを含み、或いは、前記第１の予め定義されたＯＦＤＭシンボルは、各スロットの最後の２つのＯＦＤＭシンボル及び２番目のスロットの２番目のＯＦＤＭシンボル、２番目のスロットの３番目のＯＦＤＭシンボルを含む。
【０１０２】
代替的に、Ｒが８である場合、前記第１の予め定義されたＯＦＤＭシンボルは、各スロットの２番目及び３番目のＯＦＤＭシンボル、並びに最後の２つのＯＦＤＭシンボルを含む。
【０１０３】
狭帯域参照信号は、第２の予め定義されたＯＦＤＭシンボルで伝送され、前記第２の予め定義されたＯＦＤＭシンボルは、サブフレームにおける各スロットの最後の２つのＯＦＤＭシンボル、又は、物理ブロードキャストチャネルを伝送する各ＯＦＤＭシンボルを含む。
【０１０４】
前記狭帯域参照信号は、物理ブロードキャストチャネルの復調に用いられる。前記狭帯域参照信号は、前記物理ブロードキャストチャネルを伝送するサブフレームで伝送される。
【０１０５】
前記狭帯域参照信号のアンテナポート数は１又は２であり、同一のポートの参照信号の周波数領域間隔は６個のサブキャリアであり、隣り合うＯＦＤＭシンボルにおける同一のポートの参照信号の周波数領域位置は３つだけオフセットされている。
【０１０６】
前記狭帯域参照信号のアンテナポートの初期位置は、セル識別子によって決められる。
【０１０７】
前記物理ブロードキャストチャネル及び同期チャネルは、隣り合うサブフレームに位置する。
【０１０８】
前記物理ブロードキャストチャネル及び同期チャネルが隣り合うサブフレームに位置することは、
同期チャネルがサブフレーム＃９に位置し、前記物理ブロードキャストチャネルがサブフレーム＃０に位置することと、
同期チャネルがサブフレーム＃０に位置し、前記物理ブロードキャストチャネルがサブフレーム＃９に位置することと、
同期チャネルがサブフレーム＃８に位置し、前記物理ブロードキャストチャネルがサブフレーム＃９に位置することと、
同期チャネルがサブフレーム＃６に位置し、前記物理ブロードキャストチャネルがサブフレーム＃５に位置することと、
同期チャネルがサブフレーム＃４に位置し、前記物理ブロードキャストチャネルがサブフレーム＃５に位置することと、
同期チャネルがサブフレーム＃５に位置し、前記物理ブロードキャストチャネルがサブフレーム＃４に位置することと、
同期チャネルがサブフレーム＃３に位置し、前記物理ブロードキャストチャネルがサブフレーム＃４に位置することと、
同期チャネルがサブフレーム＃１に位置し、前記物理ブロードキャストチャネルがサブフレーム＃０に位置することと、のうちのいずれかを含む。
【０１０９】
前記予め設定されたリソース位置は、前記物理ブロードキャストチャネルがＴ個の無線フレームにマッピングされ、且つ各無線フレームにおける同じサブフレームに位置することを含む。
【０１１０】
前記サブフレームは、無線フレームのサブフレーム＃０、無線フレームのサブフレーム＃４、無線フレームのサブフレーム＃５又は無線フレームのサブフレーム＃９のうちの１つ又は複数を含む。
【０１１１】
前記システムモジュールの前記物理ブロードキャストチャネルは、Ｚ１個の無線フレームで１回伝送され、Ｚ１＊Ｚ２個の無線フレーム毎にＺ２回繰り返して伝送される。
【０１１２】
前記Ｚ１は４，６，８，１２，２４を含み、Ｚ２は４，６，８，１２，１６を含む。
【０１１３】
前記システムモジュールは、予め設定されたリソース位置にてシステムメッセージを伝送することを以下のように実現する。
【０１１４】
予め設定されたリソース位置にて前記システムメッセージを物理共有チャネルによって伝送するか、予め設定されたリソース位置にて前記システムメッセージを物理共有チャネル及び物理ブロードキャストチャネルによって伝送する。
【０１１５】
予め設定されたリソース位置にて前記システムメッセージを物理共有チャネルによって伝送することは、
前記システムメッセージを載せる物理共有チャネルの、サブフレームにおける最初のＯＦＤＭシンボルは固定値であり、対応する利用可能なリソース単位は、固定した仮想セル固有参照信号ポートを除外した後の残存リソースであることを含む。
【０１１６】
前記システムメッセージを載せる物理共有チャネル、同期チャネル及び物理ブロードキャストチャネルは、異なるサブフレームに位置する。
【０１１７】
前記システムメッセージを載せる物理共有チャネルサブフレームは、サブフレーム＃０、サブフレーム＃４、サブフレーム＃５、サブフレーム＃９のうちの１つ又は複数のサブフレームを含む。
【０１１８】
（実施例１）
前記最初のＯＦＤＭシンボル情報は、２つ又は４つの状態を含む。
【０１１９】
１ビットが前記物理下りチャネルの利用可能なリソース情報を表すことを含む。
【０１２０】
２つのリソースマッピングモードを予め定義し、１ビットのシグナリングによって指示し、該シグナリングによって前記物理下りチャネルの利用可能なリソース情報を表す。
【０１２１】
例：第１のマッピングモードは、物理下りチャネルをサブフレームの１番目のＯＦＤＭシンボルからマッピングし始めること、及び／又は、対応する利用可能なリソース単位が、固定したシングルポートの仮想セル固有参照信号を除外した後の残存リソースであることを含む。第２のマッピングモードは、物理下りチャネルをサブフレームの４番目のＯＦＤＭシンボルからマッピングし始めること、及び／又は、対応する利用可能なリソース単位が、固定した４ポートの仮想セル固有参照信号を除外した後の残存リソースであることを含む。
【０１２２】
或いは、
第１のマッピングモードは、物理下りチャネルをサブフレームの１番目のＯＦＤＭシンボルからマッピングし始め、対応する利用可能なリソース単位が、固定したシングルポートの仮想セル固有参照信号を除外した後の残存リソースであることを含む。第２のマッピングモードは、物理下りチャネルをサブフレームの５番目のＯＦＤＭシンボルからマッピングし始め、対応する利用可能なリソース単位が、固定した４ポートの仮想セル固有参照信号を除外した後の残存リソースであることを含む。
【０１２３】
他の方式：前記物理下りチャネルの、１つのサブフレームにおける最初のＯＦＤＭシンボル情報及び前記物理下りチャネルの、１つのサブフレームにおける使用可能なリソースユニット情報に対してそれぞれシグナリングを定義する。
【０１２４】
前記物理下りチャネルの、１つのサブフレームにおける最初のＯＦＤＭシンボル情報が１ビットであり、１番目のＯＦＤＭシンボル、ｋ番目のＯＦＤＭシンボル情報を含み、ｋは３，４，５であることができる。或いは、前記物理下りチャネルの、１つのサブフレームにおける最初のＯＦＤＭシンボル情報が２ビットであり、１，２，３，４番目のＯＦＤＭシンボルを含む。
【０１２５】
前記物理下りチャネルの、１つのサブフレームにおける使用可能なリソースユニット情報は、セル固有参照信号ポート位置及び／又はチャネル状態情報参照信号ポート位置によって指示される。セル固有参照信号ポート位置は１，２，４を含み、或いは、セル固有参照信号ポート位置は１，４を含む。
【０１２６】
チャネル状態情報参照信号ポート位置は、無し、関連するＬＴＥシステムにおいてＣＳＩ−ＲＳリソース構成インデックスから特定した１つ又は複数を選択することを含む。前記チャネル状態情報参照信号ポート位置が無しであることは、送信されるべきチャネル状態情報参照信号がないことが示される。
【０１２７】
（実施例２）
ＬＴＥシステムＭＢＳＦＮ(Multimedia Broadcast multicast service Single Frequency Network、マルチメディアブロードキャスト／マルチキャストサービス単一周波数ネットワーク)サブフレームにおけるＣＲＳは、前の２つのＯＦＤＭシンボルのみに位置し、ＰＢＣＨは、ＣＲＳ及び／又は同期チャネルによって復調される必要があるため、ＰＢＣＨは、非ＭＢＳＦＮサブフレーム(０，４，５，９)に位置する。
【０１２８】
同期信号がＭＢＳＦＮサブフレームに位置すれば、ＬＴＥシステムのＣＲＳが同期信号に影響を与えることを回避することができる一方、マルチキャストサービスの伝送を制限してしまうため、同期信号がＭＢＳＦＮサブフレーム(１，２，３，６，７，８)に位置する場面と同期信号がＭＢＳＦＮサブフレーム(０，４，５，９)に位置しない場面に対してＰＢＣＨのマッピングソリューションを提案し、前記マッピングソリューションは、予め設定されたリソース位置にて前記システムメッセージを物理ブロードキャストチャネルによって伝送することを含む。
【０１２９】
前記予め設定されたリソース位置は、前記物理ブロードキャストチャネルが、サブフレームの１番目のスロットの最後のＹ個のＯＦＤＭシンボル及び２番目のスロットの前のＸ個のＯＦＤＭシンボルに位置することを含む。
【０１３０】
前記Ｘは４，５，６，７を含み、前記Ｙは０，１，２，３，４，５を含む。
【０１３１】
或いは、
前記物理ブロードキャストチャネルは、サブフレームにおける第１の予め定義されたＯＦＤＭシンボルの任意のＲ個のＯＦＤＭシンボルに位置し、Ｒは４，５，６，８を含むことができ、前記予め定義されたＯＦＤＭシンボルは、各スロットの２番目のＯＦＤＭシンボル、各スロットの後ろから４番目のＯＦＤＭシンボル、各スロットの最後の２つのＯＦＤＭシンボル、各スロットの３番目のＯＦＤＭシンボルを含む。
【０１３２】
なお、以上では物理ブロードキャストチャネルが同期チャネルの隣り合う異なるサブフレームに位置することを説明したが、しかし、同期チャネルの隣り合うサブフレームに物理ブロードキャストチャネルがあるとは限らず、同期チャネルが占有するサブフレーム数は、物理ブロードキャストチャネルが占有するサブフレーム数以上であることができる。
【０１３３】
例：主同期信号が奇数目の無線フレームのサブフレーム＃ｋに位置し、副同期信号が偶数目の無線フレームのサブフレーム＃ｋに位置し、ｋは１，２，３，６，７，８であることができる。或いは、主同期信号が偶数目の無線フレームのサブフレーム＃ｋに位置し、副同期信号が奇数目の無線フレームのサブフレーム＃ｋに位置し、ｋは１，２，３，４，６，７，８であることができる。サブフレームは０から番号付けされる。或いは、
前記主同期信号が奇数目の無線フレームのサブフレーム＃ｋに位置し、前記副同期信号が偶数目の無線フレームのサブフレーム＃ｋに位置し、ｋは０，４，５，９であることができる。或いは、前記主同期信号が偶数目の無線フレームのサブフレーム＃ｋに位置し、前記副同期信号が奇数目の無線フレームのサブフレーム＃ｋに位置し、ｋは０，４，５，９であることができる。サブフレームは０から番号付けされる。
【０１３４】
一方、物理ブロードキャストチャネルは、６つの連続する無線フレームを周期として、各無線フレームのサブフレーム＃ｋにマッピングされ、ｋは０，４，５，９であることができる。或いは、物理ブロードキャストチャネルは、６つの連続する無線フレームを周期として、各周期の前の３つの無線フレームのサブフレーム＃ｋにマッピングされ、ｋは０，４，５，９であることができる。或いは、物理ブロードキャストチャネルは、８つの連続する無線フレームを周期として、各無線フレームのサブフレーム＃ｋにマッピングされ、ｋは０，４，５，９であることができる。
【０１３５】
（実施例３）
伝送は送信及び／又は受信を含む。
【０１３６】
送信プロセスは以下のステップを含む。ＮＢ−ＬＴＥ基地局がシステムメッセージをＮＢ−ＬＴＥ端末に送信し、ＮＢ−ＬＴＥ基地局が前記システムメッセージに基づいて物理下りチャネルをＮＢ−ＬＴＥ端末に送信する。
【０１３７】
ＮＢ−ＬＴＥ基地局は、予め設定されたリソース位置にてシステムメッセージをＮＢ−ＬＴＥ端末に送信する。
【０１３８】
ＮＢ−ＬＴＥ基地局は、前記システムメッセージに基づいて物理下りチャネルをＮＢ−ＬＴＥ端末に送信する。前記システムメッセージは、システムの周波数領域位置情報、システムメッセージを載せる物理共有チャネルの構成情報、端末アクセスの構成情報、前記物理下りチャネルの利用可能なリソース情報、無線フレーム情報のうちの少なくともいずれかを含む。
【０１３９】
ＮＢ−ＬＴＥ周波数領域位置情報は、主として、ＣＲＳ系列の生成に用いられる。前記ＣＲＳ系列は、ＬＴＥシステムにおけるＣＲＳ系列の生成方法で生成されるため、ＣＲＳ系列を生成するように、ＮＢ−ＬＴＥに対応する周波数領域位置を判定する必要がある。
【０１４０】
システムメッセージを載せる物理共有チャネル構成情報は、前記物理共有チャネルに載せられるシステム情報のビット数、前記物理共有チャネルが占有するサブフレーム数、前記物理共有チャネルが占有する無線フレーム情報のうちの少なくともいずれかを含む。
【０１４１】
端末アクセスの構成情報は、端末のアクセスを許可するか否か、及び／又は、システム状態情報、及び／又は、端末上りアクセスリソースの構成情報を含む。
【０１４２】
前記システム状態情報は、端末が、システムへのアクセスを行うか否か、及び／又は、如何にしてシステムにアクセスするかを判定することに用いられる。
【０１４３】
前記物理下りチャネルの利用可能なリソース情報は、前記物理下りチャネルの、１つのサブフレームにおける最初の直交周波数分割多重ＯＦＤＭシンボル情報、及び／又は、前記物理下りチャネルの、１つのサブフレームにおける使用されないリソースユニット情報、及び／又は、前記物理下りチャネルの使用可能なサブフレーム情報を含む。
【０１４４】
前記物理下りチャネルの使用可能なサブフレーム情報による指示は、ビットマップ（bitmap）によって利用可能なサブフレームを周期的に指示するか、ビットマップ（bitmap）によって利用不可能なサブフレームを周期的に指示することを含む。例えば、Ｊ個のビットによって、Ｊ個のサブフレームを周期としてそれぞれのサブフレームが使用可能であるか否かを指示し、それぞれのビットが、Ｊ個のサブフレームを周期とする場合の１つのサブフレームの使用状況に対応し、１が「使用可能」を示し、０が「使用不可能」を示し、或いは、０が「使用可能」を示し、１が「使用不可能」を示し、Ｊは４０，８０，１２０，１６０，２４０であることができる。
【０１４５】
セル固有参照信号ＣＲＳポート位置及び／又はチャネル状態情報参照信号ＣＳＩ−ＲＳポート位置によって前記リソースユニット情報を指示する。前記セル固有参照信号ポート位置及び／又はチャネル状態情報参照信号ポート位置による指示は、ポート数及び／又は仮想セル識別子によって決められる。
【０１４６】
予め設定されたリソース位置にてシステムメッセージを伝送することは、予め設定されたリソース位置にて前記システムメッセージを物理ブロードキャストチャネルによって伝送すること、を含む。
【０１４７】
前記予め設定されたリソース位置は、前記物理ブロードキャストチャネルが、サブフレームの１番目のスロットの最後のＹ個のＯＦＤＭシンボル及び２番目のスロットの前のＸ個のＯＦＤＭシンボルに位置することを含む。
【０１４８】
前記Ｘは４，５，６，７を含み、前記Ｙは０，１，２，３，４，５を含む。
【０１４９】
前記物理ブロードキャストチャネルは、サブフレームにおける第１の予め定義されたＯＦＤＭシンボルの任意のＲ個のＯＦＤＭシンボルに位置し、Ｒは４，５，６，８であることができ、前記予め定義されたＯＦＤＭシンボルは、各スロットの２番目のＯＦＤＭシンボル、各スロットの後ろから４番目のＯＦＤＭシンボル、各スロットの最後の２つのＯＦＤＭシンボル、各スロットの３番目のＯＦＤＭシンボルを含む。
【０１５０】
代替的に、Ｒが４である場合、前記第１の予め定義されたＯＦＤＭシンボルは、各スロットの最後の２つのＯＦＤＭシンボルを含む。
【０１５１】
代替的に、Ｒが５である場合、前記第１の予め定義されたＯＦＤＭシンボルは、各スロットの最後の２つのＯＦＤＭシンボル及び２番目のスロットの後ろから４番目のＯＦＤＭシンボルを含み、或いは、前記第１の予め定義されたＯＦＤＭシンボルは、各スロットの最後の２つのＯＦＤＭシンボル及び２番目のスロットの３番目のＯＦＤＭシンボルを含む。
【０１５２】
代替的に、Ｒが６である場合、前記第１の予め定義されたＯＦＤＭシンボルは、各スロットの最後の２つのＯＦＤＭシンボル及び２番目のスロットの後ろから４番目のＯＦＤＭシンボル、２番目のスロットの２番目のＯＦＤＭシンボルを含み、或いは、前記第１の予め定義されたＯＦＤＭシンボルは、各スロットの最後の２つのＯＦＤＭシンボル及び各スロットの後ろから４番目のＯＦＤＭシンボルを含み、或いは、前記第１の予め定義されたＯＦＤＭシンボルは、各スロットの最後の２つのＯＦＤＭシンボル及び２番目のスロットの２番目のＯＦＤＭシンボル、２番目のスロットの３番目のＯＦＤＭシンボルを含む。
【０１５３】
代替的に、Ｒが８である場合、前記第１の予め定義されたＯＦＤＭシンボルは、各スロットの２番目及び３番目のＯＦＤＭシンボル、並びに最後の２つのＯＦＤＭシンボルを含む。
【０１５４】
前記物理ブロードキャストチャネル及び同期チャネルは、隣り合うサブフレームに位置する。
【０１５５】
前記物理ブロードキャストチャネル及び同期チャネルが隣り合うサブフレームに位置することは、
同期チャネルがサブフレーム＃９に位置し、前記物理ブロードキャストチャネルがサブフレーム＃０に位置することと、
同期チャネルがサブフレーム＃０に位置し、前記物理ブロードキャストチャネルがサブフレーム＃９に位置することと、
同期チャネルがサブフレーム＃８に位置し、前記物理ブロードキャストチャネルがサブフレーム＃９に位置することと、
同期チャネルがサブフレーム＃６に位置し、前記物理ブロードキャストチャネルがサブフレーム＃５に位置することと、
同期チャネルがサブフレーム＃４に位置し、前記物理ブロードキャストチャネルがサブフレーム＃５に位置することと、
同期チャネルがサブフレーム＃５に位置し、前記物理ブロードキャストチャネルがサブフレーム＃４に位置することと、
同期チャネルがサブフレーム＃３に位置し、前記物理ブロードキャストチャネルがサブフレーム＃４に位置することと、
同期チャネルがサブフレーム＃１に位置し、前記物理ブロードキャストチャネルがサブフレーム＃０に位置することと、のうちのいずれかを含む。
【０１５６】
前記予め設定されたリソース位置は、前記物理ブロードキャストチャネルがＴ個の無線フレームにマッピングされ、且つ各無線フレームにおける同じサブフレームに位置することを含む。
【０１５７】
前記サブフレームは、無線フレームのサブフレーム＃０、無線フレームのサブフレーム＃４、無線フレームのサブフレーム＃５又は無線フレームのサブフレーム＃９のうちの１つ又は複数を含む。
【０１５８】
前記物理ブロードキャストチャネルは、Ｚ１個の無線フレームで１回伝送され、Ｚ１＊Ｚ２個の無線フレーム毎にＺ２回繰り返して伝送される。
【０１５９】
前記Ｚ１は４，６，８，１２，２４を含み、Ｚ２は４，６，８，１２，１６を含む。
【０１６０】
予め設定されたリソース位置にてシステムメッセージを伝送することは、
予め設定されたリソース位置にて前記システムメッセージを物理共有チャネルによって伝送するか、予め設定されたリソース位置にて前記システムメッセージを物理共有チャネル及び物理ブロードキャストチャネルによって伝送することを含む。
【０１６１】
予め設定されたリソース位置にて前記システムメッセージを物理共有チャネルによって伝送することは、
前記システムメッセージを載せる物理共有チャネルの、サブフレームにおける最初のＯＦＤＭシンボルは固定値であり、対応する利用可能なリソース単位は、固定した仮想セル固有参照信号ポートを除外した後の残存リソースであることを含む。
【０１６２】
前記システムメッセージを載せる物理共有チャネル、同期チャネル及び物理ブロードキャストチャネルは、異なるサブフレームに位置する。
【０１６３】
前記システムメッセージを載せる物理共有チャネルサブフレームは、サブフレーム＃０、サブフレーム＃４、サブフレーム＃５、サブフレーム＃９のうちの１つ又は複数のサブフレームを含む。
【０１６４】
受信プロセスは以下のステップを含む。ＮＢ−ＬＴＥ端末がＮＢ−ＬＴＥ基地局から送信されたシステムメッセージを受信し、ＮＢ−ＬＴＥ端末が前記システムメッセージに基づいて物理下りチャネルを受信する。
【０１６５】
前記システムメッセージは、システムの周波数領域位置情報、システムメッセージを載せる物理共有チャネルの構成情報、端末アクセスの構成情報、前記物理下りチャネルの利用可能なリソース情報、無線フレーム情報のうちの少なくともいずれかを含む。
【０１６６】
前記物理下りチャネルの利用可能なリソース情報は、前記物理下りチャネルの、１つのサブフレームにおける最初の直交周波数分割多重ＯＦＤＭシンボル情報、及び／又は、前記物理下りチャネルの、１つのサブフレームにおける使用されないリソースユニット情報、及び／又は、前記物理下りチャネルの使用可能なサブフレーム情報を含む。
【０１６７】
前記物理下りチャネルの使用可能なサブフレーム情報による指示は、ビットマップ（bitmap）によって利用可能なサブフレームを周期的に指示するか、ビットマップ（bitmap）によって利用不可能なサブフレームを周期的に指示することを含む。例えば、Ｊ個のビットによって、Ｊ個のサブフレームを周期としてそれぞれのサブフレームが使用可能であるか否かを指示し、それぞれのビットが、Ｊ個のサブフレームを周期とする場合の１つのサブフレームの使用状況に対応し、１が「使用可能」を示し、０が「使用不可能」を示し、或いは、０が「使用可能」を示し、１が「使用不可能」を示し、Ｊは４０，８０，１２０，１６０，２４０であることができる。
【０１６８】
セル固有参照信号ＣＲＳポート位置及び／又はチャネル状態情報参照信号ＣＳＩ−ＲＳポート位置によって前記リソースユニット情報を指示する。前記セル固有参照信号ポート位置及び／又はチャネル状態情報参照信号ポート位置による指示は、ポート数及び／又は仮想セル識別子によって決められる。
【０１６９】
予め設定されたリソース位置にてシステムメッセージを伝送することは、予め設定されたリソース位置にて前記システムメッセージを物理ブロードキャストチャネルによって伝送すること、を含む。
【０１７０】
前記予め設定されたリソース位置は、前記物理ブロードキャストチャネルが、サブフレームの１番目のスロットの最後のＹ個のＯＦＤＭシンボル及び２番目のスロットの前のＸ個のＯＦＤＭシンボルに位置することを含む。
【０１７１】
前記Ｘは４，５，６，７を含み、前記Ｙは０，１，２，３，４，５を含む。
【０１７２】
前記物理ブロードキャストチャネルは、サブフレームにおける第１の予め定義されたＯＦＤＭシンボルの任意のＲ個のＯＦＤＭシンボルに位置し、Ｒは４，５，６，８であることができ、前記予め定義されたＯＦＤＭシンボルは、各スロットの２番目のＯＦＤＭシンボル、各スロットの後ろから４番目のＯＦＤＭシンボル、各スロットの最後の２つのＯＦＤＭシンボル、各スロットの３番目のＯＦＤＭシンボルを含む。
【０１７３】
代替的に、Ｒが４である場合、前記第１の予め定義されたＯＦＤＭシンボルは、各スロットの最後の２つのＯＦＤＭシンボルを含む。
【０１７４】
代替的に、Ｒが５である場合、前記第１の予め定義されたＯＦＤＭシンボルは、各スロットの最後の２つのＯＦＤＭシンボル及び２番目のスロットの後ろから４番目のＯＦＤＭシンボルを含み、或いは、前記第１の予め定義されたＯＦＤＭシンボルは、各スロットの最後の２つのＯＦＤＭシンボル及び２番目のスロットの３番目のＯＦＤＭシンボルを含む。
【０１７５】
代替的に、Ｒが６である場合、前記第１の予め定義されたＯＦＤＭシンボルは、各スロットの最後の２つのＯＦＤＭシンボル及び２番目のスロットの後ろから４番目のＯＦＤＭシンボル、２番目のスロットの２番目のＯＦＤＭシンボルを含み、或いは、前記第１の予め定義されたＯＦＤＭシンボルは、各スロットの最後の２つのＯＦＤＭシンボル及び各スロットの後ろから４番目のＯＦＤＭシンボルを含み、或いは、前記第１の予め定義されたＯＦＤＭシンボルは、各スロットの最後の２つのＯＦＤＭシンボル及び２番目のスロットの２番目のＯＦＤＭシンボル、２番目のスロットの３番目のＯＦＤＭシンボルを含む。
【０１７６】
代替的に、Ｒが８である場合、前記第１の予め定義されたＯＦＤＭシンボルは、各スロットの２番目及び３番目のＯＦＤＭシンボル、並びに最後の２つのＯＦＤＭシンボルを含む。
【０１７７】
前記物理ブロードキャストチャネル及び同期チャネルは、隣り合うサブフレームに位置する。
【０１７８】
前記物理ブロードキャストチャネル及び同期チャネルが隣り合うサブフレームに位置することは、
同期チャネルがサブフレーム＃９に位置し、前記物理ブロードキャストチャネルがサブフレーム＃０に位置することと、
同期チャネルがサブフレーム＃０に位置し、前記物理ブロードキャストチャネルがサブフレーム＃９に位置することと、
同期チャネルがサブフレーム＃８に位置し、前記物理ブロードキャストチャネルがサブフレーム＃９に位置することと、
同期チャネルがサブフレーム＃６に位置し、前記物理ブロードキャストチャネルがサブフレーム＃５に位置することと、
同期チャネルがサブフレーム＃４に位置し、前記物理ブロードキャストチャネルがサブフレーム＃５に位置することと、
同期チャネルがサブフレーム＃５に位置し、前記物理ブロードキャストチャネルがサブフレーム＃４に位置することと、
同期チャネルがサブフレーム＃３に位置し、前記物理ブロードキャストチャネルがサブフレーム＃４に位置することと、
同期チャネルがサブフレーム＃１に位置し、前記物理ブロードキャストチャネルがサブフレーム＃０に位置することと、のうちのいずれかを含む。
【０１７９】
前記予め設定されたリソース位置は、前記物理ブロードキャストチャネルがＴ個の無線フレームにマッピングされ、且つ各無線フレームにおける同じサブフレームに位置することを含む。
【０１８０】
前記サブフレームは、無線フレームのサブフレーム＃０、無線フレームのサブフレーム＃４、無線フレームのサブフレーム＃５又は無線フレームのサブフレーム＃９のうちの１つ又は複数を含む。
【０１８１】
前記物理ブロードキャストチャネルは、Ｚ１個の無線フレームで１回伝送され、Ｚ１＊Ｚ２個の無線フレーム毎にＺ２回繰り返して伝送される。
【０１８２】
前記Ｚ１は４，６，８，１２，２４を含み、Ｚ２は４，６，８，１２，１６を含む。
【０１８３】
予め設定されたリソース位置にてシステムメッセージを伝送することは、
予め設定されたリソース位置にて前記システムメッセージを物理共有チャネルによって伝送するか、予め設定されたリソース位置にて前記システムメッセージを物理共有チャネル及び物理ブロードキャストチャネルによって伝送することを含む。
【０１８４】
予め設定されたリソース位置にて前記システムメッセージを物理共有チャネルによって伝送することは、
前記システムメッセージを載せる物理共有チャネルの、サブフレームにおける最初のＯＦＤＭシンボルは固定値であり、対応する利用可能なリソース単位は、固定した仮想セル固有参照信号ポートを除外した後の残存リソースであることを含む。
【０１８５】
前記システムメッセージを載せる物理共有チャネル、同期チャネル及び物理ブロードキャストチャネルは、異なるサブフレームに位置する。
【０１８６】
前記システムメッセージを載せる物理共有チャネルサブフレームは、サブフレーム＃０、サブフレーム＃４、サブフレーム＃５、サブフレーム＃９のうちの１つ又は複数のサブフレームを含む。
【０１８７】
（実施例４）
前記システムメッセージは、前記物理下りチャネルの利用可能なリソース情報及び無線フレーム情報を含み、物理ブロードキャストチャネルによって載せられる。
【０１８８】
２つのリソースマッピングモードを予め定義し、１ビットのシグナリングによって指示し、該シグナリングによって前記物理下りチャネルの利用可能なリソース情報を表す。
【０１８９】
前記物理下りチャネルの利用可能なリソース情報は、前記物理下りチャネルの、１つのサブフレームにおける最初のＯＦＤＭシンボル情報及び前記物理下りチャネルの、１つのサブフレームにおける使用可能なリソースユニット情報を含む。
【０１９０】
第１のマッピングモードは、物理下りチャネルをサブフレームの１番目のＯＦＤＭシンボルからマッピングし始め、対応する利用可能なリソース単位が、固定したシングルポートの仮想セル固有参照信号を除外した後の残存リソースであることを含む。
【０１９１】
第２のマッピングモードは、物理下りチャネルをサブフレームの４番目のＯＦＤＭシンボルからマッピングし始め、対応する利用可能なリソース単位が、固定した４ポートの仮想セル固有参照信号を除外した後の残存リソースであることを含む。
【０１９２】
同期チャネルがサブフレーム＃９に位置し、前記物理ブロードキャストチャネルが無線フレームのサブフレーム＃０に位置する。或いは、前記物理ブロードキャストチャネルがサブフレーム＃９に位置し、同期チャネルが無線フレームのサブフレーム＃０に位置する。或いは、同期チャネルがサブフレーム＃４に位置し、前記物理ブロードキャストチャネルが無線フレームのサブフレーム＃５に位置する。或いは、同期チャネルがサブフレーム＃５に位置し、前記物理ブロードキャストチャネルが無線フレームのサブフレーム＃４に位置する。
【０１９３】
前記物理ブロードキャストチャネルは、１つのサブフレームの１番目のスロットの最後のＹ個のＯＦＤＭシンボル及び２番目のスロットの前のＸ個のＯＦＤＭシンボルに位置し、Ｘは４，５，６，７であることができ、Ｙは０，１，２，３，４，５であることができる。
【０１９４】
前記物理ブロードキャストチャネルは、Ｚ１個の無線フレームで１回伝送され、Ｚ１＊Ｚ２個の無線フレーム毎にＺ２回繰り返して伝送され、前記Ｚ１は６，８，１２，２４であることができ、Ｚ２は４，６，８，１２，１６であることができる。
【０１９５】
例：サブフレームの２番目のスロットの前の４つ又は５つのＯＦＤＭシンボル、或いは、サブフレームの１番目のスロットの最後のＯＦＤＭシンボル及び２番目のスロットの前の４つのＯＦＤＭシンボル、或いは、サブフレームの１番目のスロットの最後の２つのＯＦＤＭシンボル及び２番目のスロットの前の４つのＯＦＤＭシンボル、或いは、サブフレームの１番目のスロットの最後の２つのＯＦＤＭシンボル及び２番目のスロットの前の６つのＯＦＤＭシンボル、或いは、サブフレームの１番目のスロットの最後の３つのＯＦＤＭシンボル及び２番目のスロットの前の５つのＯＦＤＭシンボル、或いは、サブフレームの１番目のスロットの最後の５つのＯＦＤＭシンボル及び２番目のスロットの前の７つのＯＦＤＭシンボル、或いは、サブフレームの１番目のスロットの最後の３つのＯＦＤＭシンボル及び２番目のスロットのすべてのＯＦＤＭシンボル。
【０１９６】
上記マッピングにより、ＰＢＣＨがマッピングされるサブフレーム数を減少することができ、伝送遅延時間を低減し、異なる巡回プレフィックスタイプに対してできるだけ統一した設計案を採用する。
【０１９７】
前記物理ブロードキャストチャネルが６つの連続する無線フレームにマッピングされ、且つ各無線フレームの固定したサブフレーム＃Ｙ１に位置し、Ｙ１は０，４，５，９のうちの１つ又は複数であることができる。２４個の無線フレームを周期として、１つの周期ごとに４回伝送する。
【０１９８】
或いは、前記物理ブロードキャストチャネルが６つの無線フレーム毎の前の３つの連続する無線フレームにマッピングされ、且つ各無線フレームの固定したサブフレーム＃Ｙ１に位置し、Ｙ１は０，４，５，９のうちの１つ又は複数であることができ、２４個の無線フレームを周期として、各周期内に４回伝送する。
【０１９９】
或いは、前記物理ブロードキャストチャネルが８つの連続する無線フレームにマッピングされ、且つ各無線フレームの固定したサブフレーム＃Ｙ１に位置し、Ｙ１は０，４，５，９のうちの１つ又は複数であることができる。６４個の無線フレームを周期として、各周期内に８回伝送する。
【０２００】
或いは、前記物理ブロードキャストチャネルが８つの連続する無線フレームにマッピングされ、且つ各無線フレームの固定したサブフレーム＃Ｙ１に位置し、Ｙ１は０，４，５，９のうちの１つ又は複数であることができる。４８個の無線フレームを周期として、各周期内に６回伝送する。
【０２０１】
或いは、前記物理ブロードキャストチャネルが８つの連続する無線フレームにマッピングされ、且つ各無線フレームの固定したサブフレーム＃Ｙ１に位置し、Ｙ１は０，４，５，９のうちの１つ又は複数であることができる。９６個の無線フレームを周期として、各周期内に１２回伝送する。
【０２０２】
（実施例５）
前記システムメッセージは、システムの周波数領域位置情報、システムメッセージを載せる物理共有チャネルの構成情報、端末アクセスの構成情報、無線フレーム情報を含み、物理ブロードキャストチャネルによって載せられる。
【０２０３】
同期チャネルがサブフレーム＃８に位置し、前記物理ブロードキャストチャネルが無線フレームのサブフレーム＃９に位置する。或いは、同期チャネルがサブフレーム＃６に位置し、前記物理ブロードキャストチャネルが無線フレームのサブフレーム＃５に位置する。或いは、同期チャネルがサブフレーム＃３に位置し、前記物理ブロードキャストチャネルが無線フレームのサブフレーム＃４に位置する。同期チャネルがサブフレーム＃１に位置し、前記物理ブロードキャストチャネルが無線フレームのサブフレーム＃０に位置する。
【０２０４】
前記物理ブロードキャストチャネルが１つのサブフレームの１番目のスロットの最後のＹ個のＯＦＤＭシンボル及び２番目のスロットの前のＸ個のＯＦＤＭシンボルに位置し、Ｘは４，５，６，７であることができ、Ｙは０，１，２，３，４，５であることができる。
【０２０５】
前記物理ブロードキャストチャネルは、Ｚ１個の無線フレームで１回伝送され、Ｚ１＊Ｚ２個の無線フレーム毎にＺ２回繰り返して伝送され、Ｚ１は６，８，１２，２４であることができ、Ｚ２は４，６，８，１２，１６であることができる。
【０２０６】
例：サブフレームの２番目のスロットの前の４つ又は５つのＯＦＤＭシンボル、或いは、サブフレームの１番目のスロットの最後のＯＦＤＭシンボル及び２番目のスロットの前の４つのＯＦＤＭシンボル、或いは、サブフレームの１番目のスロットの最後の２つのＯＦＤＭシンボル及び２番目のスロットの前の４つのＯＦＤＭシンボル、或いは、サブフレームの１番目のスロットの最後の２つのＯＦＤＭシンボル及び２番目のスロットの前の６つのＯＦＤＭシンボル、或いは、サブフレームの１番目のスロットの最後の３つのＯＦＤＭシンボル及び２番目のスロットの前の５つのＯＦＤＭシンボル、或いは、サブフレームの１番目のスロットの最後の５つのＯＦＤＭシンボル及び２番目のスロットの前の７つのＯＦＤＭシンボル、或いは、サブフレームの１番目のスロットの最後の３つのＯＦＤＭシンボル及び２番目のスロットのすべてのＯＦＤＭシンボル。
【０２０７】
上記マッピングにより、ＰＢＣＨがマッピングされるサブフレーム数を減少することができ、伝送遅延時間を低減し、異なる巡回プレフィックスタイプに対してできるだけ統一した設計案を採用する。
【０２０８】
前記物理ブロードキャストチャネルが６つの連続する無線フレームにマッピングされ、且つ各無線フレームの固定したサブフレーム＃Ｙ１に位置し、Ｙ１は０，４，５，９のうちの１つ又は複数であることができる。２４個の無線フレームを周期として、１つの周期ごとに４回伝送する。
【０２０９】
或いは、前記物理ブロードキャストチャネルが６つの無線フレーム毎の前の３つの連続する無線フレームにマッピングされ、且つ各無線フレームの固定したサブフレーム＃Ｙ１に位置し、Ｙ１は０，４，５，９のうちの１つ又は複数であることができる。２４個の無線フレームを周期として、各周期内に４回伝送する。
（実施例６）
前記システムメッセージは、前記物理下りチャネルの利用可能なリソース情報及び無線フレーム情報、システムの周波数領域位置情報、システムメッセージを載せる物理共有チャネルの構成情報、端末アクセスの構成情報を含む。
【０２１０】
前記無線フレーム情報、ＮＢ−ＬＴＥ周波数領域位置情報、システムメッセージを載せる物理共有チャネルの構成情報は、物理ブロードキャストチャネルによって載せられる。
【０２１１】
同期チャネルがサブフレーム＃８に位置し、前記物理ブロードキャストチャネルが無線フレームのサブフレーム＃９に位置する。或いは、同期チャネルがサブフレーム＃６に位置し、前記物理ブロードキャストチャネルが無線フレームのサブフレーム＃５に位置する。或いは、同期チャネルがサブフレーム＃３に位置し、前記物理ブロードキャストチャネルが無線フレームのサブフレーム＃４に位置する。同期チャネルがサブフレーム＃１に位置し、前記物理ブロードキャストチャネルが無線フレームのサブフレーム＃０に位置する。
【０２１２】
前記物理ブロードキャストチャネルは、１つのサブフレームの１番目のスロットの最後のＹ個のＯＦＤＭシンボル及び２番目のスロットの前のＸ個のＯＦＤＭシンボルに位置し、Ｘは４，５，６，７であることができ、Ｙは０，１，２，３，４，５であることができる。
【０２１３】
前記物理ブロードキャストチャネルは、Ｚ１個の無線フレームで１回伝送され、Ｚ１＊Ｚ２個の無線フレーム毎にＺ２回繰り返して伝送され、前記Ｚ１は６，８，１２，２４であることができ、Ｚ２は４，６，８，１２，１６であることができる。
【０２１４】
例：サブフレームの２番目のスロットの前の４つ又は５つのＯＦＤＭシンボル、或いは、サブフレームの１番目のスロットの最後のＯＦＤＭシンボル及び２番目のスロットの前の４つのＯＦＤＭシンボル、或いは、サブフレームの１番目のスロットの最後の２つのＯＦＤＭシンボル及び２番目のスロットの前の４つのＯＦＤＭシンボル、或いは、サブフレームの１番目のスロットの最後の２つのＯＦＤＭシンボル及び２番目のスロットの前の６つのＯＦＤＭシンボル、或いは、サブフレームの１番目のスロットの最後の３つのＯＦＤＭシンボル及び２番目のスロットの前の５つのＯＦＤＭシンボル、或いは、サブフレームの１番目のスロットの最後の５つのＯＦＤＭシンボル及び２番目のスロットの前の７つのＯＦＤＭシンボル、或いは、サブフレームの１番目のスロットの最後の３つのＯＦＤＭシンボル及び２番目のスロットのすべてのＯＦＤＭシンボル。
【０２１５】
上記マッピングにより、ＰＢＣＨがマッピングされるサブフレーム数を減少することができ、伝送遅延時間を低減し、異なる巡回プレフィックスタイプに対してできるだけ統一した設計案を採用する。
【０２１６】
前記物理ブロードキャストチャネルが６つの連続する無線フレームにマッピングされ、且つ各無線フレームの固定したサブフレーム＃Ｙ１に位置し、Ｙ１は０，４，５，９のうちの１つ又は複数であることができる。２４個の無線フレームを周期として、１つの周期ごとに４回伝送する。
【０２１７】
或いは、
前記物理ブロードキャストチャネルが６つの無線フレーム毎の前の３つの連続する無線フレームにマッピングされ、且つ各無線フレームの固定したサブフレーム＃Ｙ１に位置し、Ｙ１は０，４，５，９のうちの１つ又は複数であることができる。２４個の無線フレームを周期として、各周期内に４回伝送する。
【０２１８】
前記物理下りチャネルの利用可能なリソース情報、端末アクセスの構成情報は物理共有チャネルによって載せられる。前記システムメッセージを載せる物理共有チャネルの、サブフレームにおける最初のＯＦＤＭシンボルは、１番目のＯＦＤＭシンボルであり、対応する利用可能なリソース単位は、４ポートの仮想セル固有参照信号ポートを除外した後の残存リソースであり、前記物理下り共有チャネルはシングルポートの方式で伝送される。
【０２１９】
前記物理下りチャネルの、１つのサブフレームにおける最初のＯＦＤＭシンボル情報及び前記物理下りチャネルの、１つのサブフレームにおける使用可能なリソースユニット情報に対してシグナリングをそれぞれ定義する。
【０２２０】
前記物理下りチャネルの、１つのサブフレームにおける最初のＯＦＤＭシンボル情報は１ビットであり、１番目のＯＦＤＭシンボル、ｋ番目のＯＦＤＭシンボル情報を含み、ｋは３，４，５であることができる。或いは、前記物理下りチャネルの、１つのサブフレームにおける最初のＯＦＤＭシンボル情報は２ビットであり、１，２，３，４番目のＯＦＤＭシンボルを含む。
【０２２１】
前記物理下りチャネルの、１つのサブフレームにおける使用可能なリソースユニット情報は、セル固有参照信号ポート位置及び／又はチャネル状態情報参照信号ポート位置によって指示される。
【０２２２】
セル固有参照信号ポート位置は１，２，４を含み、或いは、セル固有参照信号ポート位置は１，４を含む。チャネル状態情報参照信号ポート位置は、無し、関連するＬＴＥシステムにおいてＣＳＩ−ＲＳリソース構成インデックスから特定した１つ又は複数を選択することを含む。
【０２２３】
前記システムメッセージを載せる物理共有チャネル、同期チャネル及び物理ブロードキャストチャネルは、異なるサブフレームに位置する。
【０２２４】
前記システムメッセージを載せる物理共有チャネルサブフレームは、サブフレーム＃０、サブフレーム＃４、サブフレーム＃５、サブフレーム＃９のうちの１つ又は複数サブフレームを含む。
【０２２５】
前記物理下りチャネルは、物理下り共有チャネル及び／又は物理下り制御チャネルを含む。
【０２２６】
本発明の実施例にはコンピュータ記憶媒体がさらに提供され、前記コンピュータ記憶媒体には、上記実施例に記載の方法を実行するためのコンピュータ実行可能な命令が記憶されている。
【０２２７】
上記方法におけるステップの一部又は全部は、プログラムによって関連するハードウェア（例えば、プロセッサ）を命令して完成させることができ、前記プログラムは、コンピュータ読取可能な記憶媒体、例えば、リードオンリーメモリ、磁気ディスク又は光ディスクに記憶されることができると、当業者が理解することができる。オプションとして、上記実施例のステップの一部又は全部は、１つ又は複数の集積回路によって実現されてもよい。これに応じて、上記実施例における各モジュール／ユニットは、ハードウェアの形で実現されることができ、例えば、集積回路によってその対応する機能を実現することができるし、ソフトウェア機能モジュールの形で実現されることもでき、例えば、プロセッサによってメモリに記憶されるプログラム／命令を実行してその対応する機能を実現することができる。本発明は、如何なる特定したハードウェアとソフトウェアの結合には限定されない。
【０２２８】
以上は本明細書に開示された実施形態であるが、しかし、その内容は本発明の技術案を理解しやすくするための実施形態に過ぎず、本発明を限定することを意図していない。当業者であれば、本発明に開示された主要技術案から逸脱しない前提において実施の方式及び詳細に対して如何なる修正や変化が可能である。しかし、本発明の保護範囲は特許請求の範囲に基づくべきである。
【産業上の利用可能性】
【０２２９】
上記技術案は、異なるシステムスペクトルが共有される場合の信号間の相互干渉を低減し、異なるシステムが同じリソースで異なる信号伝送を同時に行うことを減少することができ、システムと端末の理解が一致することを確保し、データ伝送性能を向上させる。
【図１】
2018527834.tif 000003
【図２】
2018527834.tif 000004
【図３】
2018527834.tif 000005
【図４】
2018527834.tif 000006
【図５】
2018527834.tif 000007
【図６】
2018527834.tif 000008
【図７】
2018527834.tif 000009
【国際調査報告】
2018527834.tif 000010
2018527834.tif 000011
2018527834.tif 000012
2018527834.tif 000013
2018527834.tif 000014
2018527834.tif 000015